(57)【要約】ＦＤ−ＭＩＭＯを利用する端末装置と利用しない端末装置とをより適切に共存させることが可能な仕組みを提供する。１つのラジオフレーム内で、ビームフォームされた第１の同期信号及びビームフォームされない第２の同期信号を含む２種類の同期信号を送信するよう、ひとつ以上の基地局を制御する制御部、を備える通信制御装置。
2017175500.tif 000002
【特許請求の範囲】
【請求項１】
１つのラジオフレーム内で、ビームフォームされた第１の同期信号及びビームフォームされない第２の同期信号を含む２種類の同期信号を送信するよう、ひとつ以上の基地局を制御する制御部、を備える通信制御装置。
【請求項２】
前記制御部は、前記第１の同期信号と前記第２の同期信号とを異なるサブフレームにおいて送信させる、請求項１に記載の通信制御装置。
【請求項３】
前記制御部は、前記第１の同期信号を送信する前記基地局に、前記第２の同期信号を送信する前記基地局のＭＢＳＦＮサブフレームにおいて、前記第１の同期信号を送信させる、請求項２に記載の通信制御装置。
【請求項４】
前記制御部は、通信方式が周波数分割複信である場合、サブフレーム番号が０又は５以外であるサブフレームで前記第１の同期信号を送信させる、請求項２に記載の通信制御装置。
【請求項５】
前記制御部は、通信方式が時間分割複信方式である場合、サブフレーム番号が０、１、５又は６以外であるサブフレームで前記第１の同期信号を送信させる、請求項２に記載の通信制御装置。
【請求項６】
前記制御部は、ビーム毎に前記第１の同期信号が送信されるサブフレームを相違させる、請求項２に記載の通信制御装置。
【請求項７】
前記制御部は、第１の同期信号と第２の同期信号とで、ＰＳＳ（Primary  Synchronization  Signals）及びＳＳＳ（Secondary  Synchronization  Signals）の配置を相違させる、請求項１に記載の通信制御装置。
【請求項８】
前記制御部は、前記第１の同期信号において、ＰＳＳの１シンボル前又は３シンボル前のシンボル以外のシンボルにＳＳＳを配置させる、請求項７に記載の通信制御装置。
【請求項９】
前記制御部は、ＦＤＤとＴＤＤとで、第１の同期信号におけるＰＳＳ及びＳＳＳの配置を相違させる、請求項７に記載の通信制御装置。
【請求項１０】
前記制御部は、前記第１の同期信号を送信する前記基地局に、前記１つのラジオフレーム内でビームフォームされた物理報知チャネルを送信させる、請求項１に記載の通信制御装置。
【請求項１１】
前記第１の同期信号を送信する前記基地局はマクロセル基地局である、請求項１に記載の通信制御装置。
【請求項１２】
前記第１の同期信号を送信する前記基地局はマクロセル内のスモールセル基地局である、請求項１に記載の通信制御装置。
【請求項１３】
前記第１の同期信号を送信する前記基地局と前記第２の同期信号を送信する前記基地局とは同一である、請求項１に記載の通信制御装置。
【請求項１４】
前記第１の同期信号を送信する前記基地局と前記第２の同期信号を送信する前記基地局とは異なる、請求項１に記載の通信制御装置。
【請求項１５】
１つのラジオフレーム内で、ビームフォームされた第１のセル固有基準信号及びビームフォームされない第２のセル固有基準信号を含む２種類のセル固有基準信号を送信するよう、ひとつ以上の基地局を制御する制御部、を備える通信制御装置。
【請求項１６】
前記制御部は、前記第１のセル固有基準信号を送信する前記基地局に、前記第１のセル固有基準信号を送信するサブフレーム番号をシステム情報で報知させる、請求項１５に記載の通信制御装置。
【請求項１７】
前記制御部は、前記基地局に、メジャメントコンフィギュレーションにおいて、前記第１のセル固有基準信号を測定対象として指定させる、請求項１５に記載の通信制御装置。
【請求項１８】
前記制御部は、前記第１のセル固有基準信号と前記第２のセル固有基準信号とを異なるサブフレームにおいて送信させる、請求項１５に記載の通信制御装置。
【請求項１９】
前記制御部は、前記第１のセル固有基準信号を送信する前記基地局に、前記第２のセル固有基準信号を送信する前記基地局のＭＢＳＦＮサブフレームにおいて、前記第１のセル固有基準信号を送信させる、請求項１８に記載の通信制御装置。
【請求項２０】
前記第１のセル固有基準信号を送信する前記基地局はマクロセル基地局である、請求項１５に記載の通信制御装置。
【請求項２１】
前記第１のセル固有基準信号を送信する前記基地局はマクロセル内のスモールセル基地局である、請求項１５に記載の通信制御装置。
【請求項２２】
前記第１のセル固有基準信号を送信する前記基地局と前記第２のセル固有基準信号を送信する前記基地局とは同一である、請求項１５に記載の通信制御装置。
【請求項２３】
前記第１のセル固有基準信号を送信する前記基地局と前記第２のセル固有基準信号を送信する前記基地局とは異なる、請求項１５に記載の通信制御装置。
【請求項２４】
１つのラジオフレーム内で送信された、ビームフォームされた第１のセル固有基準信号及びビームフォームされない第２のセル固有基準信号を含む２種類のセル固有基準信号の少なくともいずれかの受信処理を行う制御部、を備える端末装置。
【請求項２５】
前記制御部は、前記第１のセル固有基準信号の受信強度を測定し、報告する、請求項２４に記載の端末装置。
【請求項２６】
１つのラジオフレーム内で、ビームフォームされた第１の同期信号及びビームフォームされない第２の同期信号を含む２種類の同期信号を送信するよう、ひとつ以上の基地局をプロセッサにより制御すること、を含む方法。
【請求項２７】
１つのラジオフレーム内で、ビームフォームされた第１のセル固有基準信号及びビームフォームされない第２のセル固有基準信号を含む２種類のセル固有基準信号を送信するよう、ひとつ以上の基地局をプロセッサにより制御すること、を含む方法。
【請求項２８】
１つのラジオフレーム内で送信された、ビームフォームされた第１のセル固有基準信号及びビームフォームされない第２のセル固有基準信号を含む２種類のセル固有基準信号の少なくともいずれかの受信処理をプロセッサにより行うこと、を含む方法。
【請求項２９】
コンピュータを、  １つのラジオフレーム内で、ビームフォームされた第１の同期信号及びビームフォームされない第２の同期信号を含む２種類の同期信号を送信するよう、ひとつ以上の基地局を制御する制御部、として機能させるためのプログラム。
【請求項３０】
コンピュータを、  １つのラジオフレーム内で、ビームフォームされた第１のセル固有基準信号及びビームフォームされない第２のセル固有基準信号を含む２種類のセル固有基準信号を送信するよう、ひとつ以上の基地局を制御する制御部、として機能させるためのプログラム。
【請求項３１】
コンピュータを、  １つのラジオフレーム内で送信された、ビームフォームされた第１のセル固有基準信号及びビームフォームされない第２のセル固有基準信号を含む２種類のセル固有基準信号の少なくともいずれかの受信処理を行う制御部、として機能させるためのプログラム。
【発明の詳細な説明】
【技術分野】
【０００１】  本開示は、通信制御装置、端末装置、方法及びプログラムに関する。
【背景技術】
【０００２】  近年のトラフィックの急増に対して無線アクセスの能力向上が急務となっている。高速且つ大容量の無線アクセスネットワークの実現のために、ＵＨＦ（Ultra-High  Frequency）帯の比較的低い周波数を使用するマクロセルと、比較的高い周波数を使用するスモールセルをオーバーレイして配置することが検討されている。また、高周波帯を使用するスモールセルでは、大きな伝搬損失を補償するＦＤ−ＭＩＭＯ（Full-Dimension  multiple-input  and  multiple-output）の利用が検討されている。【０００３】  例えば、下記特許文献１では、ＦＤ−ＭＩＭＯを利用した通信を行うために、セル固有基準信号（ＣＲＳ：Cell-specific  Reference  Signal）をビームフォームして送信する技術が開示されている。
【先行技術文献】
【特許文献】
【０００４】
【特許文献１】国際公開第２０１５／０４５６５８号公報
【発明の概要】
【発明が解決しようとする課題】
【０００５】  しかし、上記特許文献１に開示された技術は、ＦＤ−ＭＩＭＯを活用するための技術として十分であるとはいいがたい。例えば、ＦＤ−ＭＩＭＯを利用する端末装置と利用しない端末装置との共存に関して向上の余地がある。そこで、本開示では、ＦＤ−ＭＩＭＯを利用する端末装置と利用しない端末装置とをより適切に共存させることが可能な仕組みを提供する。
【課題を解決するための手段】
【０００６】  本開示によれば、１つのラジオフレーム内で、ビームフォームされた第１の同期信号及びビームフォームされない第２の同期信号を含む２種類の同期信号を送信するよう、ひとつ以上の基地局を制御する制御部、を備える通信制御装置が提供される。【０００７】  また、本開示によれば、１つのラジオフレーム内で、ビームフォームされた第１のセル固有基準信号及びビームフォームされない第２のセル固有基準信号を含む２種類のセル固有基準信号を送信するよう、ひとつ以上の基地局を制御する制御部、を備える通信制御装置が提供される。【０００８】  また、本開示によれば、１つのラジオフレーム内で送信された、ビームフォームされた第１のセル固有基準信号及びビームフォームされない第２のセル固有基準信号を含む２種類のセル固有基準信号の少なくともいずれかの受信処理を行う制御部、を備える端末装置が提供される。【０００９】  また、本開示によれば、１つのラジオフレーム内で、ビームフォームされた第１の同期信号及びビームフォームされない第２の同期信号を含む２種類の同期信号を送信するよう、ひとつ以上の基地局をプロセッサにより制御すること、を含む方法が提供される。【００１０】  また、本開示によれば、１つのラジオフレーム内で、ビームフォームされた第１のセル固有基準信号及びビームフォームされない第２のセル固有基準信号を含む２種類のセル固有基準信号を送信するよう、ひとつ以上の基地局をプロセッサにより制御すること、を含む方法が提供される。【００１１】  また、本開示によれば、１つのラジオフレーム内で送信された、ビームフォームされた第１のセル固有基準信号及びビームフォームされない第２のセル固有基準信号を含む２種類のセル固有基準信号の少なくともいずれかの受信処理をプロセッサにより行うこと、を含む方法が提供される。【００１２】  また、本開示によれば、コンピュータを、１つのラジオフレーム内で、ビームフォームされた第１の同期信号及びビームフォームされない第２の同期信号を含む２種類の同期信号を送信するよう、ひとつ以上の基地局を制御する制御部、として機能させるためのプログラムが提供される。【００１３】  また、本開示によれば、コンピュータを、１つのラジオフレーム内で、ビームフォームされた第１のセル固有基準信号及びビームフォームされない第２のセル固有基準信号を含む２種類のセル固有基準信号を送信するよう、ひとつ以上の基地局を制御する制御部、として機能させるためのプログラムが提供される。【００１４】  また、本開示によれば、コンピュータを、１つのラジオフレーム内で送信された、ビームフォームされた第１のセル固有基準信号及びビームフォームされない第２のセル固有基準信号を含む２種類のセル固有基準信号の少なくともいずれかの受信処理を行う制御部、として機能させるためのプログラムが提供される。
【発明の効果】
【００１５】  以上説明したように本開示によれば、ＦＤ−ＭＩＭＯを利用する端末装置と利用しない端末装置とをより適切に共存させることが可能な仕組みが提供される。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１６】
【図１】ＦＤ−ＭＩＭＯの概略を説明するための図である。
【図２】セクターアンテナの水平面方向の指向性の一例を示す図である。
【図３】従来のダウンリンク信号のフレーム構成の一例を示す図である。
【図４】リソースブロック上のＣＲＳの位置の一例を示す図である。
【図５】第１のシナリオを説明するための説明図である。
【図６】第１のシナリオを説明するための説明図である。
【図７】第２のシナリオを説明するための説明図である。
【図８】第２のシナリオを説明するための説明図である。
【図９】第３のシナリオを説明するための説明図である。
【図１０】第３のシナリオを説明するための説明図である。
【図１１】本開示の一実施形態に係るシステムの概略的な構成の一例を示す説明図である。
【図１２】同実施形態に係る基地局の構成の一例を示すブロック図である。
【図１３】同実施形態に係る端末装置の構成の一例を示すブロック図である。
【図１４】同実施形態に係る通信制御装置の構成の一例を示すブロック図である。
【図１５】第１のシナリオにおいて同実施形態に係るマクロセル基地局が送信するダウンリンク信号のフレーム構成の一例を示す図である。
【図１６】同実施形態に係るシステムにおいて実行される通信処理の流れの一例を示すシーケンス図である。
【図１７】第２のシナリオにおいて同実施形態に係るスモール基地局が送信するダウンリンク信号のフレーム構成の一例を示す図である。
【図１８】同実施形態に係るシステムにおいて実行される通信処理の流れの一例を示すシーケンス図である。
【図１９】第３のシナリオにおいて同実施形態に係るスモールセル基地局が送信するダウンリンク信号のフレーム構成の一例を示す図である。
【図２０】同実施形態に係るシステムにおいて実行される通信処理の流れの一例を示すシーケンス図である。
【図２１】同実施形態に係るハンドオーバに関する技術的特徴の概要を説明するための説明図である。
【図２２】同実施形態に係るシステムにおいて実行されるハンドオーバ手続きに係る処理の流れの一例を示すシーケンス図である。
【図２３】サーバの概略的な構成の一例を示すブロック図である。
【図２４】ｅＮＢの概略的な構成の第１の例を示すブロック図である。
【図２５】ｅＮＢの概略的な構成の第２の例を示すブロック図である。
【図２６】スマートフォンの概略的な構成の一例を示すブロック図である。
【図２７】カーナビゲーション装置の概略的な構成の一例を示すブロック図である。
【発明を実施するための形態】
【００１７】  以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１８】  また、本明細書及び図面において、実質的に同一の機能構成を有する要素を、同一の符号の後に異なるアルファベットを付して区別する場合もある。例えば、実質的に同一の機能構成を有する複数の要素を、必要に応じて端末装置２００Ａ、２００Ｂ及び２００Ｃのように区別する。ただし、実質的に同一の機能構成を有する複数の要素の各々を特に区別する必要がない場合、同一符号のみを付する。例えば、端末装置２００Ａ、２００Ｂ及び２００Ｃを特に区別する必要が無い場合には、単に端末装置２００と称する。
【００１９】  なお、説明は以下の順序で行うものとする。    １．はじめに      １．１．ＦＤ−ＭＩＭＯ      １．２．基地局のサービスエリア      １．３．ダウンリンク信号の構成      １．４．技術的課題      １．５．シナリオ    ２．構成例    ３．技術的特徴      ３．１．ビーム送信      ３．２．サブフレーム構成      ３．３．ハンドオーバ    ４．応用例    ５．まとめ
【００２０】  ＜＜１．はじめに＞＞    ＜１．１．ＦＤ−ＭＩＭＯ＞  近年のトラフィックの急増に対して無線アクセスの能力向上が急務となっている。高速且つ大容量の無線アクセスネットワークの実現のために、ＵＨＦ（Ultra-High  Frequency）帯の比較的低い周波数を使用するマクロセルと、比較的高い周波数を使用するスモールセルをオーバーレイして配置することが検討されている。また、高周波帯を使用するスモールセルでは、大きな伝搬損失を補償するＦＤ−ＭＩＭＯ（Full-Dimension  multiple-input  and  multiple-output）の利用が検討されている。
【００２１】  ＦＤ−ＭＩＭＯでは、多くのアンテナ素子を二次元に配置するアレーアンテナを用いることで、鋭いビームをビルの高層階に向けることが可能である。ＦＤ−ＭＩＭＯでは、チルト角ごとにセクタ化されたビームを使用するなどして、ビルのカバレッジを改善するユースケースが検討されている。図１は、ＦＤ−ＭＩＭＯの概略を説明するための図である。図１に示すように、ｅＮＢは、ＦＤ−ＭＩＭＯのアレーアンテナを備える。そして、ｅＮＢは、ビルの４階のＵＥ、３階のＵＥ、２階のＵＥ及び１階のＵＥの各々に異なるビームを割り当てる。このようにして、ビルのカバレッジが改善される。
【００２２】  多くのアンテナ素子で構成されるアレーアンテナを用いて鋭いビームを形成し信号を送信するＦＤ−ＭＩＭＯにおいては、アンテナの重み行列を決定するために多くの基準信号を送信することが求められる。基準信号のオーバーヘッドの問題、ｅＮＢ及びＵＥにおける処理の増大の問題、ｅＮＢの無線装置のコスト増大の問題の解決のため、サブアレー方式のＦＤ−ＭＩＭＯ構成、及びビームフォームされた基準信号の採用などが検討されている。
【００２３】  ｅＮＢは、サブアレーごとに割り当てられたセル固有の重み行列を使用してＣＳＩ−ＲＳをビームフォームして送信し得る。このビームフォームされたＣＳＩ−ＲＳを、以下ではセル固有ビームフォームドＣＳＩ−ＲＳ（Cell-specific  beamformed  CSI-RS）とも称する。そして、セル固有ビームフォームドＣＳＩ−ＲＳを検出したＵＥへのデータを送信するために、同一のセル固有ビームを割当てること、即ちセル固有ビームフォームドＣＳＩ−ＲＳと同一のセル固有の重み行列を乗算することも検討されている。さらに、複数のセル固有ビームフォームドＣＳＩ−ＲＳを検出したＵＥには複数のセル固有ビームを割り当て、ＵＥ固有の重み行列と複数のセル固有重み行列とをＵＥへのデータに乗算して送信することも検討されている。その場合、さらに鋭いビームをＵＥに提供して、より良い通信品質及び高速のデータレートを提供することが可能となる。
【００２４】  ＜１．２．基地局のサービスエリア＞  基地局のサービスエリアの大きさ（即ち、セル半径）は、ＵＥの所要受信電力、基地局の送信電力、及び送受信アンテナ利得などから計算される許容伝搬損失、並びに使用周波数における伝搬損失特性に基づいて計算される
【００２５】  基地局がダウンリンクで送信するＣＲＳは、基地局ごとに割り当てられるセルＩＤに応じて一意に定まる基準信号系列で構成される。ＵＥは、セル選択の際に、基地局がダウンリンクで送信するＣＲＳの受信強度を測定し、その値が閾値以上のセルを選択する。以上のことから、サービスエリアの大きさは、ＣＲＳの送信電力により定まると言える。
【００２６】  （１）無指向性エリア  基地局は、無指向性アンテナを用いてセルを提供する場合がある。その場合、基地局は、セルの中央に位置する。無指向性アンテナとは、水平面方向に指向性がない一様な電波を放射するアンテナである。無指向性アンテナにより提供されるサービスエリアの大きさは、基地局の送信電力及び伝搬損失により定まる。
【００２７】  基地局は、セクターアンテナを用いてセルを提供する場合がある。セクターアンテナとは、水平方向に指向性がある電波を放射するアンテナである。セクターアンテナは、例えばダイポールアンテナの背面に金属製の反射器を配置することで実現される。図２は、セクターアンテナの水平面方向の指向性の一例を示す図である。ビーム幅は、アンテナ利得が例えば−３ｄＢとなる幅で定義される。よって、図２に示したセクターアンテナのビーム幅は、１２０°となる。基地局は、例えば複数のセクターアンテナを用いて複数のセルを提供し得る。例えば、３つのセル（即ち、セクター）が接する地点に設置された基地局は、３つのセクターアンテナを用いて、これら３つのセルを提供する。これにより、例えば市街地などにおいて多数のＵＥを収容することが可能となる。このようなセクターアンテナで形成される、３つのセクタに分かれたサービスエリアも、そのエリアの大きさは基地局の送信電力及び伝搬損失により定まる。
【００２８】  以下では、基地局の送信電力及び伝搬損失により大きさが定まる、セクターアンテナで形成されるセクタセルを含む上述したサービスエリアを、無指向性エリアとも称する。これに対し、３次元ビームのような鋭いビームで形成されるサービスエリアを、指向性エリアとも称する。
【００２９】  （２）指向性エリア  ＦＤ−ＭＩＭＯにより形成されるサービスエリア（即ち、指向性エリア）は、無指向性エリアとは異なり、アンテナ指向性により形成されるエリアである。ただし、指向性エリア内の電波強度は、比較的一定に保たれる。
【００３０】  ＜１．３．ダウンリンク信号の構成＞  図３は、従来のダウンリンク信号のフレーム構成の一例を示す図である。図３に示すように、サブフレーム番号が０のサブフレーム（即ち、サブフレーム＃０）及びサブフレーム＃５において、同期信号（ＰＳＳ（Primary  Synchronization  Signal）及びＳＳＳ（Secondary  Synchronization  Signal））が配置される。また、サブフレーム＃０の同期信号の直後に物理報知チャネル（ＰＢＣＨ：Physical  Broadcast  Channel）が配置される。また、サブフレーム＃３に、ＭＢＳＦＮ（Multicast-broadcast  single-frequency  network）サブフレームが配置される。また、ＭＢＳＦＮサブフレームが配置されないサブフレームでは、ＣＲＳを含むＰＤＣＣＨ（Physical  Downlink  Control  Channel）及びＰＤＳＣＨ（Physical  Downlink  Shared  Channel）が送信される。
【００３１】    ・同期信号  同期信号は、基地局と端末装置との同期を確立するための信号である。基地局のシステム帯域幅が未知であっても簡易にセルサーチを可能にするために、同期信号はサービス帯域幅によらず常に中央の７２サブキャリアに配置される。端末装置は、同期信号を受信して、シンボル同期及びフレーム同期を獲得することが可能である。
【００３２】  同期信号の配置は、通信方式が周波数分割複信（ＦＤＤ：Frequency  Division  Duplex）であるか時間分割複信方式（ＴＤＤ：Time  Division  Duplex）であるかに応じて異なる。ＦＤＤの場合、サブフレーム＃０及び＃５の最初のスロットにおける最後のシンボルでＰＳＳが送信され、ＰＳＳの直前のシンボルでＳＳＳが送信される。図３に示したフレーム構成は、ＦＤＤの場合のフレーム構成である。ＴＤＤの場合、サブフレーム＃１及び＃６の第３シンボルでＰＳＳが送信され、ＰＳＳの３シンボル前（即ち、サブフレーム＃０及び＃５の最後のシンボル）でＳＳＳが送信される。そのため、端末装置は、ＰＳＳ及びＳＳＳの位置から、セルの通信方式（即ちＦＤＤ又はＴＤＤのいずれか）を検出することが可能である。
【００３３】  また、基地局は、セルＩＤに応じた同期信号を送信する。そのため、端末装置は、同期信号からセルＩＤを検出することが可能である。
【００３４】    ・ＭＩＢ（Master  Information  Block）  ＭＩＢは、ＰＢＣＨにマッピングされる。ＭＩＢは、ダウンリンクの周波数帯域幅、送信アンテナ数、制御情報の構造などの情報を含む。
【００３５】    ・ＳＩＢ（System  Information  Block）  ＳＩＢは、ＰＤＳＣＨにマッピングされる。ＳＩＢは、ＵＥがセルに在圏できるか否かを示す情報、アップリンクの帯域幅、ＲＡＣＨ（Random  Access  Channel）のパラメータ、アップリンク送信電力制御に関するパラメータ、セル再選択に関する情報、隣接セルに関する情報などを含む。
【００３６】    ・セル固有基準信号（ＣＲＳ：Cell-specific  Reference  Signal）  ＣＲＳは、ＰＢＣＨ、ＰＤＣＣＨ、及びＰＤＳＣＨの受信（例えば、復調）を行うために用いられる。またＣＲＳは、受信強度の測定に用いられる。ＣＲＳは、ダウンリンクの全周波数領域において、６サブキャリア間隔でスロット内の第１番目と最後から３番目のＯＦＤＭ（Orthogonal  Frequency  Division  Multiplexing）シンボルに挿入される。ＣＲＳの信号系列は、５０４種のセルＩＤに対応する５０４種の信号系列から一意に決まる。一方、ＣＲＳを送信する周波数上の位置（即ち、周波数シフト）は６種ある。図４は、リソースブロック上のＣＲＳの位置の一例を示す図である。基地局間では、ＣＲＳの周波数シフトが重ならないようにセルＩＤを決める。これにより、基地局間でのＣＲＳの干渉を回避することが可能である。また、ダウンリンク信号が複数のアンテナを用いて送信される場合、アンテナごとにＣＲＳが重ならないようにするために、アンテナポートごとにＯＦＤＭシンボル及びサブキャリアにオフセットが付加される。つまり、ＰＳＳ及びＳＳＳからセルＩＤを検出した端末装置は、ＣＲＳが送信されるリソース位置を正確に把握し測定することができ、帯域全体に渡って周波数同期を得ることができる。
【００３７】    ・ＭＢＳＦＮ（Multicast-broadcast  single-frequency  network）サブフレーム  ＭＢＳＦＮサブフレームとは、マルチキャスト又はブロードキャスト用のサブフレームである。ＭＢＳＦＮサブフレームは、ＦＤＤではサブフレーム＃０、＃４、＃５及び＃９以外のサブフレームに設定され、ＴＤＤではサブフレーム＃０、＃１、＃２、＃５、及び＃６以外のサブフレームに設定される。
【００３８】  なお、マルチキャスト又はブロードキャストが行われない場合、ＭＢＳＦＮサブフレームでは、何も送信されなくてもよい。
【００３９】    ・動作  基地局は、同期信号、ＭＩＢ、ＳＩＢ、及びＣＲＳをダウンリンクで送信する。
【００４０】  端末装置は、同期信号に基づいてフレーム同期を獲得し、ＰＢＣＨにマッピングされたＭＩＢを復号する。次いで、端末装置は、ＭＩＢからダウンリンクの周波数帯域幅を知得して、ＰＤＣＣＨを受信してＳＩＢが割り当てられるＰＤＳＣＨのリソースブロックの位置を知得し、対応するＰＤＳＣＨからＳＩＢを復号する。また、端末装置は、同期信号に基づいてセルＩＤを検出し、セルＩＤに応じた周波数オフセットを考慮してＣＲＳ同期を獲得する。
【００４１】  ＜１．４．技術的課題＞  （１）第１の課題  第１の課題は、無指向性エリアのカバレッジ外の端末装置が、指向性エリアのカバレッジ内であったとしても、ＦＤ−ＭＩＭＯの効果を享受することが困難である点である。
【００４２】  端末装置がＦＤ−ＭＩＭＯの効果を享受するためには、ＦＤ−ＭＩＭＯが提供されるコンポーネントキャリアを選択して同期すること、及びセル固有ビームフォームドＣＳＩ−ＲＳを測定してレポートすることが要される。そして、そのためには、端末装置が、同期信号、及びＣＲＳを受信して、同期の獲得及びセル選択等を行うことが望ましい。
【００４３】  鋭いビームを用いて送信される高いアンテナゲインの信号とそうでない信号とでは、カバレッジが大きく異なる。しかしながら、現状の標準仕様では、少なくとも同期信号及びＣＲＳはビームフォームされない。そのため、無指向性エリアのカバレッジ内の端末装置のみが、同期信号及びＣＲＳを受信することが可能である。よって、無指向性エリアのカバレッジ外の端末装置は、指向性エリアのカバレッジ内であっても、ＦＤ−ＭＩＭＯの効果を享受することは困難であった。
【００４４】  以上の事情から、無指向性エリアのカバレッジ外であっても、指向性エリアのカバレッジ内であれば、端末装置が同期信号及びＣＲＳを受信可能になることが望ましい。そこで、下記実施形態では、基地局が、同期信号及びＣＲＳをビームで送信する仕組みを提供する。
【００４５】  （２）第２の課題  第２の課題は、ビームでＣＲＳを送信する頻度に関する。
【００４６】  端末装置が移動することを想定すると、端末装置がＦＤ−ＭＩＭＯの鋭いビームを受信するためには、数ｍｓ（ミリ秒）に一度位の頻度で同期用の基準信号（即ち、ＣＲＳ）が送信されることが望ましい。この点、上記特許文献１では、ビームでＣＲＳを送信することが開示されているものの、ビームでＣＲＳが送信されるか否かは無線フレームごとに切り替わる。そのため、ビームでのＣＲＳの送信は、早くとも数１０ｍｓごとに行われることとなり、移動速度の速い端末装置は、ＦＤ−ＭＩＭＯの鋭いビームを受信することが困難となる。
【００４７】  そこで、下記実施形態では、基地局が、頻繁にＣＲＳをビームで送信する仕組みを提供する。
【００４８】  上記課題は、同期信号に関しても同様に生じ得る。そこで、下記実施形態では、基地局が、頻繁に同期信号をビームで送信する仕組みを提供する。
【００４９】  （３）第３の課題  第３の課題は、干渉に関する。
【００５０】  図４を参照して上記説明したように、基地局間でＣＲＳの周波数シフトが重ならないようにセルＩＤを決めることで、基地局間でのＣＲＳの干渉が回避されている。しかし、基地局が多くのビームを利用し、各々のビームに別々のセルＩＤを割り当ててビーム上でＣＲＳを送信する場合、ビーム間で又はビームと隣接セルとの間で、ＣＲＳの周波数シフトが重なり干渉が生じる可能性がある。
【００５１】  また、ビームフォームされるＣＲＳとビームフォームされないＣＲＳとが同一サブフレームで送信される場合、ＣＲＳ測定に誤差が生じたり、干渉が生じたりする。
【００５２】  上記の問題は、同期信号に関しても同様に生じる。同期信号は、送信されるサブフレーム及び周波数上の位置が決まっており、信号系列はセルＩＤに応じて異なる。基地局が多くのビームを利用し、各々のビームに別々のセルＩＤを割り当ててビーム上で同期信号を送信する場合、ビーム間で又はビームと隣接セルとの間で、同期信号の干渉が生じる可能性がある。
【００５３】  そこで、下記実施形態では、ビームフォームされるＣＲＳとされないＣＲＳ同士、及びビームフォームされる同期信号とされない同期信号同士の干渉を防止する仕組みを提供する。
【００５４】  （４）第４の課題  第４の課題は、ハンドオーバに関する。
【００５５】  現状の仕様では、無指向性エリアの受信強度に基づいてハンドオーバの実行要否が判定される。しかしながら、指向性エリアにおいてＦＤ−ＭＩＭＯの鋭いビームを受信している端末装置にとっては、ハンドオーバは不要である。また、ＦＤ−ＭＩＭＯのビームを受信しながら端末装置が移動することを考慮すれば、無指向性エリアの受信強度が大きく変化することに伴う頻繁なハンドオーバの発生は、望ましくない。
【００５６】  そこで、下記実施形態では、ＦＤ−ＭＩＭＯのビームを受信している端末装置に関しては、ハンドオーバ条件を緩和する仕組みを提供する。
【００５７】  ＜１．５．シナリオ＞  以下、上記技術的課題が顕在化するシナリオの一例を説明する。
【００５８】  （１）第１のシナリオ  本シナリオは、マクロセルにおいてＦＤ−ＭＩＭＯのビームが送信されるシナリオである。以下、図５及び図６を参照して、本シナリオについて説明する。
【００５９】  図５及び図６は、第１のシナリオを説明するための説明図である。図５及び図６に示した例では、マクロセルは、指向性エリアと無指向性エリアとを含む。本シナリオでは、指向性エリアと無指向性エリアとで周波数は同一のＦ１である。即ち、マクロセル基地局は、周波数キャリアＦ１で送信するリソースのうちの一部のリソースに重み行列を乗算して、指向性エリアにビームで送信する。
【００６０】  図５に示すように、端末装置（ＵＥ）は、指向性エリア及び無指向性エリアの双方のカバレッジ内に位置する場合がある。その場合、端末装置は、無指向性エリアで送信されるＣＲＳに同期することで、マクロセルｅＮＢよりビームが割り当てられた場合に、指向性エリアで送信されるビームフォームされたダウンリンク信号に同期することが可能となる。
【００６１】  他方、図６に示すように、端末装置は、指向性エリアのカバレッジ内であって無指向性エリアのカバレッジ外に位置する場合がある。その場合、端末装置は、無指向性エリアで送信されるダウンリンク信号に関しては十分な受信強度を確保することが困難であるので、無指向性エリアで送信されるＣＲＳに同期することが困難となる。それに伴い、端末装置は、指向性エリアで送信されるビームフォームされたダウンリンク信号に同期しセル選択を行うことが困難となる。よって、無指向性エリアのカバレッジ外に位置する端末装置は、指向性エリアのカバレッジ内であったとしても、マクロセルとのデータ通信を行うことが困難であった。
【００６２】  そこで、ビーム上で同期信号及びＣＲＳが送信されることが望ましい。これにより、無指向性エリアのカバレッジ外に位置する端末装置は、ビーム上で同期信号を検出し、ＭＩＢ受信してセル選択を行い、ＣＲＳ同期、ＳＩＢ受信、ランダムアクセスを行って、マクロセルとデータ通信することが可能となる。
【００６３】  ここで、同じマクロセル基地局から送信される無指向性エリアのダウンリンク信号と指向性エリアのダウンリンク信号とは、同じセルＩＤを用いることになるため、ＣＲＳのリソース位置も信号系列も同一となる。マクロセル端末装置１００が送信可能な最大電力は規定されているので、指向性エリア１０４に送信したＣＲＳの電力分、無指向性エリア１０３に送信するＣＲＳの電力が下がることとなり、サービスエリアの縮小及び通信品質の劣化の要因となる。
【００６４】  （２）第２のシナリオ  本シナリオは、スモールセルがマクロセルと同一周波数で送信するＦＤ−ＭＩＭＯのビームが、ＰＣｅｌｌ（Primary  Cell）又はＳＣｅｌｌ（Secondary  Cell）として選択されるシナリオである。以下、図７及び図８を参照して、本シナリオについて説明する。
【００６５】  図７及び図８は、第２のシナリオを説明するための説明図である。図７及び図８に示した例では、マクロセルは無指向性エリアを形成し、スモールセルは指向性エリアを形成する。そして、マクロセルとスモールセルとで、使用される周波数はＦ１で同一であるものとする。ただし、マクロセルとスモールセルとは提供元の基地局が異なるため、端末装置は、各々に接続するために、各々のフレーム同期及び周波数同期を別々に獲得することが要される。
【００６６】  図７に示すように、端末装置は、スモールセル及びマクロセルの双方のカバレッジ内に位置する場合がある。その場合、端末装置は、マクロセルをＰＣｅｌｌとして選択することが可能である。そして、端末装置は、スモールセルの周波数等の情報をマクロセルから取得し、取得した情報に基づいてスモールセルにおいて送信されるビームフォームドＣＳＩ−ＲＳ等を検出し、マクロセルｅＮＢに報告する。これにより、端末装置は、スモールセルのコンポーネントキャリアをＳＣｅｌｌとして追加することが可能となる。ただし、ＰＣｅｌｌを提供するマクロセルｅＮＢとは異なるスモールセルｅＮＢから送信されるビームフォームドＣＳＩ−ＲＳ等の検出のためには、スモールセルへのフレーム同期及び周波数同期が要される。
【００６７】  図８に示すように、端末装置は、スモールセルの指向性エリアのカバレッジ内であってマクロセルの無指向性エリアのカバレッジ外に位置する場合がある。その場合、端末装置は、無指向性エリア（即ち、マクロセル）で送信されるダウンリンク信号に関しては十分な受信強度を確保することが困難であるので、マクロセルで送信されるＣＲＳに同期することが困難となる。それに伴い、端末装置は、指向性エリア（即ち、スモールセル）で送信されるビームフォームされたダウンリンク信号に同期しセル選択を行うことが困難となる。よって、マクロセルのカバレッジ外に位置する端末装置は、スモールセルのカバレッジ内であったとしても、マクロセルともスモールセルともデータ通信を行うことが困難であった。この場合、スモールセルのビーム上で同期信号及びＣＲＳが送信されることが望ましい。これにより、端末装置は、マクロセルのカバレッジ外であっても、スモールセルのビーム上で同期信号を検出し、ＭＩＢ受信してセル選択し、ＣＲＳ同期、ＳＩＢ受信、ランダムアクセスを行って、スモールセルとデータ通信することが可能となる。
【００６８】  ただし、マクロセルとスモールセルとはセルＩＤが異なるので、ＣＲＳを送信するリソース位置及び信号系列が異なり得る。そのため、マクロセルとスモールセルとで、同じリソースブロックでＣＲＳが送信される場合、干渉が発生し得る。同期信号に関しても同様である。
【００６９】  （３）第３のシナリオ  本シナリオは、スモールセルがマクロセルと異なる周波数で送信するＦＤ−ＭＩＭＯのビームが、ＰＣｅｌｌ又はＳＣｅｌｌとして選択されるシナリオである。以下、図９及び図１０を参照して、本シナリオについて説明する。
【００７０】  図９及び図１０は、第３のシナリオを説明するための説明図である。図９及び図１０に示すように、本シナリオは、第２のシナリオから、マクロセルとスモールセルとで、使用される周波数を相違させたシナリオである。マクロセルの無指向性エリアでは周波数Ｆ１が使用され、スモールセルの無指向性エリア及びスモールセルの指向性エリアでは周波数Ｆ２が使用される。スモールセルとの通信のためには、マクロセルとは別に、スモールセルへのフレーム同期及び周波数同期が要される。
【００７１】  図９に示すように、端末装置は、マクロセルの無指向性エリア、スモールセルの無指向性エリア及び指向性エリアのカバレッジ内に位置する場合がある。そのような端末装置は、マクロセルにおいて送信される同期信号、ＰＢＣＨ、ＣＲＳを受信し、マクロセルをＰＣｅｌｌとして選択することが可能である。また、当該端末装置は、マクロセルからスモールセルの周波数等の情報を得て、スモールセルの無指向性エリアで送信される同期信号、ＰＢＣＨ、及びＣＲＳを受信し、スモールセルへのフレーム同期及び周波数同期を獲得することが可能である。従って、当該端末装置は、ビームフォームドＣＳＩ−ＲＳを検出してマクロセルｅＮＢに報告することで、スモールセルのビームで送信されるコンポーネントキャリアをＳＣｅｌｌとして追加することが可能となる。
【００７２】  図１０に示すように、端末装置は、スモールセルの指向性エリアのカバレッジ内であって、マクロセルの無指向性エリア及びスモールセルの無指向性エリアのカバレッジ外に位置する場合がある。そのような端末装置は、マクロセルにおいて送信される同期信号、ＰＢＣＨ、ＣＲＳの受信強度が十分でなく、マクロセルのセル選択が困難であるので、スモールセルが使用する周波数キャリアに関する情報をマクロセルから取得することが困難である。また、当該端末装置は、スモールセルの無指向性エリアで送信される同期信号、ＰＢＣＨ、ＣＲＳの受信強度も十分でないので、スモールセルのセル選択も困難である。
【００７３】  この場合、スモールセルのビーム上で同期信号及びＣＲＳが送信されることが望ましい。これにより、当該端末装置は、スモールセルにおいてビームフォームして送信される同期信号及びＣＲＳを受信することで、スモールセルをセル選択することが可能となり、ビームを用いた通信が可能になる。
【００７４】  ＜＜２．構成例＞＞  ＜２．１．システムの概略的な構成例＞  まず、図１１を参照して、本開示の一実施形態に係るシステム１の概略的な構成を説明する。
【００７５】  図１１は、本開示の一実施形態に係るシステム１の概略的な構成の一例を示す説明図である。図１１を参照すると、システム１は、無線通信装置１００、端末装置２００、及び通信制御装置３００を含む。
【００７６】  無線通信装置１００は、配下の装置に無線通信サービスを提供する通信装置である。例えば、無線通信装置１００は、セルラーシステム（又は移動体通信システム）の基地局である。基地局１００は、セル１０１の内部に位置する装置（例えば、端末装置２００）との無線通信を行う。例えば、基地局１００は、端末装置２００のダウンリンク信号を送信し、端末装置２００からのアップリンク信号を受信する。セル１０１は、例えば、ＬＴＥ、ＬＴＥ−Ａ（LTE-Advanced）、ＧＳＭ（登録商標）、ＵＭＴＳ、Ｗ−ＣＤＭＡ、ＣＤＭＡ２００、ＷｉＭＡＸ、ＷｉＭＡＸ２又はＩＥＥＥ８０２．１６などの任意の無線通信方式に従って運用されてよい。
【００７７】  ここでは、基地局１００は、ｅＮｏｄｅＢ（又はｅＮＢ）とも呼ばれる。ここでのｅＮｏｄｅＢは、ＬＴＥ又はＬＴＥ−Ａにおいて定義されているｅＮｏｄｅＢであってもよく、より一般的に通信機器を意味してもよい。また、基地局１００は、マクロセルを形成するマクロセル基地局、又はスモールセルを形成するスモールセル基地局であってもよい。
【００７８】  例えば、基地局１００Ａは、マクロセル基地局であり、マクロセル１０１Ａを提供する。また、基地局１００Ｂ及び１００Ｃはスモールセル基地局であり、それぞれスモールセル１０１Ｂ及び１０１Ｃを提供する。マクロセル基地局１００Ａとスモールセル基地局１００Ｂ及び１００Ｃとは、バックホールリンクにより接続される。バックホールリンクは有線であっても無線であってもよい。また、スモールセル基地局は、リレーノードであってもよい。マクロセル基地局１００Ａ、スモールセル基地局１００Ｂ、及び１００Ｃは、上記説明したＦＤ−ＭＩＭＯの機能を有し、端末装置２００への情報を、ビームを用いて送信する場合がある。
【００７９】  基地局１００は、他の基地局と例えばＸ２インタフェースにより論理的に接続されており、制御情報等の送受信が可能である。また、基地局１００は、コアネットワークと例えばＳ１インタフェースにより論理的に接続されており、制御情報等の送受信が可能である。なお、これらの装置間の通信は、物理的には多様な装置により中継され得る。
【００８０】  端末装置２００は、セルラーシステム（又は移動体通信システム）において通信可能な通信装置である。端末装置２００は、セルラーシステムの無線通信装置（例えば、基地局１００）との無線通信を行う。例えば、端末装置２００は、基地局１００からのダウンリンク信号を受信し、基地局１００へのアップリンク信号を送信する。
【００８１】  ここでは、端末装置２００は、ユーザとも呼ばれる。当該ユーザは、ＵＥ（User  Equipment）とも呼ばれ得る。ここでのＵＥは、ＬＴＥ又はＬＴＥ−Ａにおいて定義されているＵＥであってもよく、より一般的に通信機器を意味してもよい。
【００８２】  通信制御装置３００は、システム１において行われる、ビームを用いた同期信号、ＣＲＳ及びＰＢＣＨの送信を制御する機能エンティティである。典型的には、通信制御装置３００は、基地局１００として実現される。もちろん、通信制御装置３００は、コアネットワーク又はＰＤＮ（Packet  Data  Network）内の制御ノード（即ち、基地局１００の上位ノード）として実現されてもよい。
【００８３】  ＜２．２．基地局の構成例＞  図１２を参照して、本開示の一実施形態に係る基地局１００の構成の一例を説明する。図１２は、本開示の一実施形態に係る基地局１００の構成の一例を示すブロック図である。図１２を参照すると、基地局１００は、アンテナ部１１０、無線通信部１２０、ネットワーク通信部１３０、記憶部１４０及び制御部１５０を備える。
【００８４】  （１）アンテナ部１１０  アンテナ部１１０は、無線通信部１２０により出力される信号を電波として空間に放射する。また、アンテナ部１１０は、空間の電波を信号に変換し、当該信号を無線通信部１２０へ出力する。
【００８５】  （２）無線通信部１２０  無線通信部１２０は、信号を送受信する。例えば、無線通信部１２０は、端末装置へのダウンリンク信号を送信し、端末装置からのアップリンク信号を受信する。
【００８６】  （３）ネットワーク通信部１３０  ネットワーク通信部１３０は、情報を送受信する。例えば、ネットワーク通信部１３０は、他のノードへの情報を送信し、他のノードからの情報を受信する。例えば、上記他のノードは、他の基地局及びコアネットワークノードを含む。
【００８７】  （４）記憶部１４０  記憶部１４０は、基地局１００の動作のためのプログラム及び様々なデータを一時的に又は恒久的に記憶する。
【００８８】  （５）制御部１５０  制御部１５０は、基地局１００の様々な機能を提供する。基地局１００は、制御部１５０による制御に基づき動作する。制御部１５０による制御に基づく基地局１００の動作については、後に詳しく説明する。  ＜２．３．端末装置の構成例＞  図１３を参照して、本開示の一実施形態に係る端末装置２００の構成の一例を説明する。図１３は、本開示の一実施形態に係る端末装置２００の構成の一例を示すブロック図である。図１３を参照すると、端末装置２００は、アンテナ部２１０、無線通信部２２０、記憶部２３０及び制御部２４０を備える。
【００８９】  （１）アンテナ部２１０  アンテナ部２１０は、無線通信部２２０により出力される信号を電波として空間に放射する。また、アンテナ部２１０は、空間の電波を信号に変換し、当該信号を無線通信部２２０へ出力する。
【００９０】  （２）無線通信部２２０  無線通信部２２０は、信号を送受信する。例えば、無線通信部２２０は、基地局からのダウンリンク信号を受信し、基地局へのアップリンク信号を送信する。
【００９１】  （３）記憶部２３０  記憶部２３０は、端末装置２００の動作のためのプログラム及び様々なデータを一時的に又は恒久的に記憶する。
【００９２】  （４）制御部２４０  制御部２４０は、端末装置２００の様々な機能を提供する。端末装置２００は、制御部２４０による制御に基づき動作する。制御部２４０による制御に基づく端末装置２００の動作については、後に詳しく説明する。
【００９３】  ＜２．４．通信制御装置の構成例＞  図１４を参照して、本開示の一実施形態に係る通信制御装置３００の構成の一例を説明する。図１４は、本開示の一実施形態に係る通信制御装置３００の構成の一例を示すブロック図である。図１４を参照すると、通信制御装置３００は、ネットワーク通信部３１０、記憶部３２０及び制御部３３０を備える。
【００９４】  （１）ネットワーク通信部３１０  ネットワーク通信部３１０は、情報を送受信する。例えば、ネットワーク通信部３１０は、他のノードへの情報を送信し、他のノードからの情報を受信する。例えば、上記他のノードは、基地局１００及びコアネットワークノードを含む。
【００９５】  （２）記憶部３２０  記憶部３２０は、通信制御装置３００の動作のためのプログラム及び様々なデータを一時的に又は恒久的に記憶する。
【００９６】  （３）制御部３３０  制御部３３０は、通信制御装置３００の様々な機能を提供する。通信制御装置３００は、制御部３３０による制御に基づき動作する。制御部３３０による制御に基づく通信制御装置３００の動作については、後に詳しく説明する。
【００９７】  各々の基地局１００は、通信制御装置３００による制御に基づいて動作する。以下では、通信制御装置３００の制御に基づいて基地局１００が何らかの動作をする場合も、単なる基地局１００の動作として説明し得る。
【００９８】  ＜＜３．技術的特徴＞＞  ＜３．１．ビーム送信＞  （１）同期信号  通信制御装置３００は、１つのラジオフレーム内で、ビームフォームされた第１の同期信号（ＰＳＳ及びＳＳＳ）及びビームフォームされない第２の同期信号（ＰＳＳ及びＳＳＳ）を含む２種類の同期信号を送信するよう、ひとつ以上の基地局１００を制御する。そして、端末装置２００は、１つのラジオフレーム内で送信された、ビームフォームされた第１の同期信号及びビームフォームされない第２の同期信号を含む２種類の同期信号の少なくともいずれかの受信処理を行う。これにより、端末装置２００は、第１の同期信号の受信に成功した場合、無指向性エリアのカバレッジ外であっても、フレーム同期を獲得することが可能となるので、同期信号に関する上記第１の課題が解消される。また、毎ラジオフレームに第１の同期信号が配置されるので、同期信号に関する上記第２の課題が解消される。
【００９９】  （２）ＣＲＳ  通信制御装置３００は、１つのラジオフレーム内で、ビームフォームされた第１のＣＲＳ及びビームフォームされない第２のＣＲＳを含む２種類のＣＲＳを送信するよう、ひとつ以上の基地局１００を制御する。そして、端末装置２００は、１つのラジオフレーム内で送信された、ビームフォームされた第１のＣＲＳ及びビームフォームされない第２のＣＲＳを含む２種類のＣＲＳの少なくともいずれかの受信処理を行う。これにより、第１のＣＲＳの受信に成功した端末装置２００は、無指向性エリアのカバレッジ外であっても、ＣＲＳ同期を獲得することが可能となるので、ＣＲＳに関する上記第１の課題が解消される。また、毎ラジオフレームに第１のＣＲＳが配置されるので、ＣＲＳに関する上記第２の課題が解消される。なお、以下では第１のＣＲＳを、セル固有ビームフォームドＣＲＳ（Cell-specific  beamformed  CRS）とも称する場合がある。
【０１００】  なお、第１の同期信号を送信する基地局１００と第１のＣＲＳを送信する基地局１００とは、同一であるものとする。
【０１０１】  （３）ＰＢＣＨ  第１の同期信号を送信する基地局１００は、１つのラジオフレーム内でビームフォームされる第１のＰＢＣＨ及びビームフォームされない第２のＰＢＣＨを含む２種類のＰＢＣＨを送信する。そして、端末装置２００は、１つのラジオフレーム内で送信された、ビームフォームされる第１のＰＢＣＨ及びビームフォームされない第２のＰＢＣＨを含む２種類のＰＢＣＨの少なくともいずれかの受信処理を行う。これにより、第１のＰＢＣＨの受信に成功した端末装置２００は、無指向性エリアのカバレッジ外であっても、ＭＩＢを受信することが可能となる。
【０１０２】  ＜３．２．サブフレーム構成＞  （１）概要  基地局１００は、第１の同期信号と第２の同期信号とを、異なるサブフレームにおいて送信する。これにより、第１の同期信号と第２の同期信号とが重複して送信されることが防止されて、干渉が防止される。そのため、端末装置２００は、ビームを受信する場合もしない場合も、適切に同期を行うことが可能となる。よって、上記第３の課題が解消される。
【０１０３】  標準規格では、ビームフォームされない第２の同期信号の送信位置が定義されている。例えば、標準規格では、通信方式がＦＤＤである場合、第２の同期信号の送信位置はサブフレーム番号が０又は５のサブフレームである。そこで、基地局１００は、通信方式がＦＤＤである場合、サブフレーム番号が０又は５以外であるサブフレームで第１の同期信号を送信する。また、標準規格では、通信方式がＴＤＤである場合、第２の同期信号の送信位置はサブフレーム番号が０、１、５又は６のサブフレームである。そこで、基地局１００は、通信方式がＴＤＤである場合、サブフレーム番号が０、１、５又は６以外であるサブフレームで第１の同期信号を送信する。
【０１０４】  上記の干渉防止技術は、ＣＲＳ及びＰＢＣＨに関しても有効である。即ち、基地局１００は、第１のＣＲＳと第２のＣＲＳとを異なるサブフレームにおいて送信してもよい。また、基地局１００は、第１のＰＢＣＨと第２のＰＢＣＨとを異なるサブフレームにおいて送信してもよい。これにより、ＣＲＳ及びＰＢＣＨに関しても、同様に上記第３の課題が解消される。
【０１０５】  例えば、基地局１００は、任意のサブフレームにおいて、第１の同期信号、第１のＣＲＳ及び第１のＰＢＣＨを送信する。例えば、第１の同期信号、第１のＣＲＳ及び第１のＰＢＣＨを送信する基地局１００は、第２の同期信号、第２のＣＲＳ及び第２のＰＢＣＨを送信する基地局１００のＭＢＳＦＮサブフレームにおいて、第１の同期信号、第１のＣＲＳ及び第１のＰＢＣＨを送信してもよい。他方、第２の同期信号、第２のＣＲＳ及び第２のＰＢＣＨを送信する基地局１００は、ＭＢＳＦＮサブフレームにおいて、信号（具体的には、ＰＤＣＣＨ及びＰＤＳＣＨ等）を送信しない。これにより、上述した異なるサブフレームにおける送信が実現される。
【０１０６】  第１のＣＲＳを送信する前記基地局は、第１のＣＲＳを送信するサブフレーム番号、即ち、ＭＢＳＦＮサブフレームに設定されたサブフレーム番号を、システム情報（例えば、ＳＩＢ）で報知してもよい。これにより、指向性エリアのカバレッジ内の端末装置２００は、第１のＣＲＳを受信することが可能となり、且つ、第２のＣＲＳを測定対象から除外することが可能となる。このことは、第１の同期信号及び第１のＰＢＣＨに関しても同様である。なお、以下では、第１のＣＲＳを送信するサブフレーム番号を含んで報知される情報を、セル固有ビームフォームドＣＲＳコンフィギュレーションとも称する。
【０１０７】  続いて、上記説明した第１〜第３のシナリオにおけるサブフレーム構成を具体的に説明する。
【０１０８】  （２）第１のシナリオ  第１のシナリオにおいては、第１の同期信号、第１のＣＲＳ及び第１のＰＢＣＨを送信する基地局１００はマクロセル基地局である。そして、第１の同期信号、第１のＣＲＳ及び第１のＰＢＣＨを送信する基地局１００と、第２の同期信号、第２のＣＲＳ及び第２のＰＢＣＨを送信する基地局１００とは同一である。即ち、ひとつのマクロセル基地局１００が、第１の同期信号、第１のＣＲＳ及び第１のＰＢＣＨ、並びに第２の同期信号、第２のＣＲＳ及び第２のＰＢＣＨを送信する。
【０１０９】  以下、図１５を参照して、第１のシナリオにおいて送信される第１の同期信号、第１のＣＲＳ及び第１のＰＢＣＨ、並びに第２の同期信号、第２のＣＲＳ及び第２のＰＢＣＨについて説明する。
【０１１０】  図１５は、第１のシナリオにおいて本実施形態に係るマクロセル基地局１００が送信するダウンリンク信号のフレーム構成の一例を示す図である。図１５に示したフレーム構成は、ＦＤＤの場合のフレーム構成である。図１５に示すように、サブフレーム＃０及び＃５において同期信号が配置され、サブフレーム＃０の同期信号の直後にＰＢＣＨが配置される。また、ＭＢＳＦＮが配置されないサブフレームでは、ＣＲＳが配置される。これらのサブフレームは、ビームフォームされずに送信される。即ち、これらのサブフレームにおいて、第２の同期信号、第２のＣＲＳ及び第２のＰＢＣＨが送信される。
【０１１１】  他方、ＭＢＳＦＮが配置されるサブフレームは、セル固有重み行列が乗算されて、ビームフォームされて送信される。そして、当該サブフレームにおいて、第１の同期信号、第１のＣＲＳ及び第１のＰＢＣＨが送信される。これにより、図６に示した第１のシナリオにおいて、マクロセルの無指向性エリアのカバレッジ外であって指向性エリアのカバレッジ内に位置する端末装置２００は、第１の同期信号、第１のＣＲＳ及び第１のＰＢＣＨを受信することが可能となる。よって、当該端末装置２００は、マクロセルをセル選択して通信することが可能となる。
【０１１２】  図１５に示すように、第１の同期信号と第２の同期信号とで、ＰＳＳ及びＳＳＳの配置が相違してもよい。より具体的には、第１の同期信号において、ＰＳＳの１シンボル前又は３シンボル前のシンボル以外のシンボルにＳＳＳが配置されてもよい。図１５に示すように、ＦＤＤの場合、サブフレーム＃０及び＃５における第２の同期信号に関しては、ＰＳＳの１シンボル前にＳＳＳが配置される。これに対し、サブフレーム＃３における第１の同期信号に関しては、最初のスロットにおける最後のシンボルにＰＳＳが配置され、その２シンボル前にＳＳＳが配置される。また、図示は省略しているが、ＴＤＤの場合、サブフレーム＃１及び＃６における第２の同期信号に関しては、第３シンボルでＰＳＳが送信され、ＰＳＳの３シンボル前でＳＳＳが送信される。これに対し、第１の同期信号に関しては、ＰＳＳの例えば４シンボル前にＳＳＳが配置される。このような配置の相違に基づき、端末装置２００は、受信した同期信号が、ビームフォームされた第１の同期信号であることを知得することが可能である。また、端末装置２００は、受信した同期信号のサブフレーム番号が、従来のＦＤＤにおけるサブフレーム＃０又は＃５でもなく、従来のＴＤＤにおけるサブフレーム＃０、＃１、＃５又は＃６でないことを知得することが可能である。
【０１１３】  また、第１の同期信号において、ＰＳＳとＳＳＳとのシンボル間隔がサブフレーム番号に対応付けられていてもよい。これにより、例えば図１５に示した例では、端末装置２００は、ＰＳＳの２シンボル前にＳＳＳが配置されていることに基づいて、サブフレーム番号が３であることを認識することが可能となる。
【０１１４】  また、ＦＤＤとＴＤＤとで、第１の同期信号におけるＰＳＳ及びＳＳＳの配置が相違してもよい。その場合、端末装置２００は、無指向性エリアのカバレッジ外であっても、ＰＳＳ及びＳＳＳの配置に基づいて、通信方式を認識することが可能である。
【０１１５】  また、ビーム毎に第１の同期信号、第１のＣＲＳ及び第１のＰＢＣＨが送信されるサブフレームが相違してもよい。即ち、複数のＭＢＳＦＮサブフレームが設定され、ＭＢＳＦＮごとに第１の同期信号、第１のＣＲＳ及び第１のＰＢＣＨを含むビームが送信されてもよい。これにより、ビーム間で又はビームと隣接セルとの間での干渉を回避することが可能となり、上記第３の課題が解消される。
【０１１６】  以上、第１のシナリオにおける技術的特徴を説明した。続いて、図１６を参照して、第１のシナリオにおける処理の流れを説明する。
【０１１７】  図１６は、本実施形態に係るシステム１において実行される通信処理の流れの一例を示すシーケンス図である。本シーケンスには、マクロセル基地局１００、端末装置２００Ａ及び２００Ｂが関与する。なお、マクロセル基地局１００は、通信制御装置３００としての機能を有するものとする。
【０１１８】  図１６に示すように、まず、マクロセル基地局１００は、ＭＢＳＦＮサブフレームを設定する（ステップＳ１０２）。次いで、マクロセル基地局１００は、第１の同期信号及び第２の同期信号を１つのラジオフレーム内に配置する（ステップＳ１０４）。ここで、第１の同期信号はＭＢＳＦＮサブフレーム内に配置される。次に、マクロセル基地局１００は、第１のＰＢＣＨ及び第２のＰＢＣＨを１つのラジオフレーム内に配置する（ステップＳ１０６）。ここで、第１のＰＢＣＨはＭＢＳＦＮサブフレーム内に配置される。次いで、マクロセル基地局１００は、第１のＣＲＳ及び第２のＣＲＳを１つのラジオフレーム内に配置する（ステップＳ１０８）。ここで、第１のＣＲＳはＭＢＳＦＮサブフレーム内に配置される。次に、マクロセル基地局１００は、ＭＢＳＦＮサブフレームをビームフォームして送信し、その他のサブフレームをビームフォームせずに送信する（ステップＳ１１０）。
【０１１９】  端末装置２００Ａは、マクロセルの無指向性エリアのカバレッジ外であって指向性エリアのカバレッジ内に位置するものとする。その場合、端末装置２００Ａは、ＭＢＳＦＮサブフレームに関する受信処理を行う（ステップＳ１１２）。詳しくは、端末装置２００Ａは、ビーム上で同期信号を検出し、ＭＩＢ受信してセル選択を行い、ＣＲＳ同期、ＳＩＢ受信、ランダムアクセスを行って、マクロセルとデータ通信を開始する。一方、端末装置２００Ｂは、マクロセルの無指向性エリアのカバレッジ内に位置するものとする。その場合、端末装置２００Ｂは、ＭＢＳＦＮサブフレーム以外のサブフレームに関する受信処理を行う（ステップＳ１１４）。詳しくは、端末装置２００Ｂは、同期信号を検出し、ＭＩＢ受信してセル選択を行い、ＣＲＳ同期、ＳＩＢ受信、ランダムアクセスを行って、マクロセルとデータ通信を開始する。以上により、処理は終了する。
【０１２０】  （３）第２のシナリオ  第２のシナリオにおいては、第２の同期信号、第２のＣＲＳ及び第２のＰＢＣＨを送信する基地局１００は、マクロセル基地局である。また、第１の同期信号、第１のＣＲＳ及び第１のＰＢＣＨを送信する基地局１００はマクロセル内のスモールセル基地局である。つまり、第１の同期信号、第１のＣＲＳ及び第１のＰＢＣＨを送信する基地局１００と、第２の同期信号、第２のＣＲＳ及び第２のＰＢＣＨを送信する基地局１００とは異なる。
【０１２１】  以下、図１７を参照して、第２のシナリオにおいて送信される第１の同期信号、第１のＣＲＳ及び第１のＰＢＣＨ、並びに第２の同期信号、第２のＣＲＳ及び第２のＰＢＣＨについて説明する。
【０１２２】  図１７は、第２のシナリオにおいて本実施形態に係るスモール基地局１００が送信するダウンリンク信号のフレーム構成の一例を示す図である。図１７に示したフレーム構成は、ＦＤＤの場合のフレーム構成である。図１７に示すように、サブフレーム＃３においてビームフォームされた信号が送信される。即ち、スモールセル基地局１００は、サブフレーム＃３にセル固有重み行列を乗算して、ビームフォームして送信する。そして、図１７に示すように、当該サブフレームにおいて、第１の同期信号、第１のＣＲＳ及び第１のＰＢＣＨが送信される。これにより、図８に示した第２のシナリオにおいて、マクロセルのカバレッジ外であってスモールセルのカバレッジ内に位置する端末装置２００は、第１の同期信号、第１のＣＲＳ及び第１のＰＢＣＨを受信することが可能となる。よって、当該端末装置２００は、スモールセルをセル選択して通信することが可能となる。
【０１２３】  他方、サブフレーム＃３以外のサブフレームでは信号が送信されない。これに関し、マクロセル基地局１００は、図３に示したような、サブフレーム＃３にＭＢＳＦＮを配置したラジオフレームを、ビームフォームせずに送信する。即ち、マクロセル基地局１００から第２の同期信号、第２のＣＲＳ及び第２のＰＢＣＨが送信され、スモールセル基地局１００から第１の同期信号、第１のＣＲＳ及び第１のＰＢＣＨが送信される。
【０１２４】  通信制御装置３００は、マクロセル基地局１００のＭＢＳＦＮサブフレームを設定して、その位置を示す情報を、スモールセル基地局１００に通知する。これにより、マクロセル基地局１００が信号を送信しないサブフレームにおいて、スモールセル基地局１００に信号を送信させて、干渉を防止することが可能となる。例えば、通信制御装置３００がマクロセル基地局１００に設けられる場合、マクロセル基地局１００は、ＭＢＳＦＮサブフレームの位置（即ち、番号）を示す情報を、Ｘ２インタフェースを用いてマクロセル内のスモールセル基地局１００に通知する。また、通信制御装置３００は、複数のＭＢＳＦＮサブフレームを設定して、複数のスモールセル基地局１００に、第１の同期信号、第１のＣＲＳ及び第１のＰＢＣＨを送信させてもよい。その際、通信制御装置３００は、スモールセル基地局１００ごとに使用すべきＭＢＳＦＮサブフレームを相違させて設定することで、スモールセル基地局１００同士の干渉を防止することが可能となる。
【０１２５】  第１の同期信号、第１のＣＲＳ及び第１のＰＢＣＨと、第２の同期信号、第２のＣＲＳ及び第２のＰＢＣＨとの送信元が異なることを除けば、以下に説明するように本シナリオにおける技術的特徴は第１のシナリオと同様である。
【０１２６】  例えば、第２のシナリオにおいても、第１のシナリオと同様に、第１の同期信号と第２の同期信号とで、ＰＳＳ及びＳＳＳの配置が相違してもよい。より具体的には、第１の同期信号において、ＰＳＳの１シンボル前又は３シンボル前のシンボル以外のシンボルにＳＳＳが配置されてもよい。
【０１２７】  また、第１の同期信号において、ＰＳＳとＳＳＳとのシンボル間隔がサブフレーム番号に対応付けられていてもよい。
【０１２８】  また、ＦＤＤとＴＤＤとで、第１の同期信号におけるＰＳＳ及びＳＳＳの配置が相違してもよい。
【０１２９】  また、ビーム毎に第１の同期信号、第１のＣＲＳ及び第１のＰＢＣＨが送信されるサブフレームが相違してもよい。
【０１３０】  以上、第２のシナリオにおける技術的特徴を説明した。続いて、図１８を参照して、第２のシナリオにおける処理の流れを説明する。
【０１３１】  図１８は、本実施形態に係るシステム１において実行される通信処理の流れの一例を示すシーケンス図である。本シーケンスには、マクロセル基地局１００Ａ、スモールセル基地局１００Ｂ、端末装置２００Ａ及び２００Ｂが関与する。なお、マクロセル基地局１００Ａは、通信制御装置３００としての機能を有するものとする。
【０１３２】  図１８に示すように、まず、マクロセル基地局１００Ａは、ＭＢＳＦＮサブフレームを設定する（ステップＳ２０２）。次いで、マクロセル基地局１００Ａは、設定したＭＢＳＦＮサブフレームの位置を示す情報をスモールセル基地局１００Ｂに送信する（ステップＳ２０４）。次に、マクロセル基地局１００Ａは第２の同期信号を、スモールセル基地局１００Ｂは第１の同期信号を、１つのラジオフレーム内に配置する（ステップＳ２０６）。ここで、第１の同期信号はＭＢＳＦＮサブフレーム内に配置される。次いで、マクロセル基地局１００Ａは第２のＰＢＣＨを、スモールセル基地局１００Ｂは第１のＰＢＣＨを、１つのラジオフレーム内に配置する（ステップＳ２０８）ここで、第１のＰＢＣＨはＭＢＳＦＮサブフレーム内に配置される。次に、マクロセル基地局１００Ａは第２のＣＲＳを、スモールセル基地局１００Ｂは第１のＣＲＳを、１つのラジオフレーム内に配置する（ステップＳ２１０）ここで、第１のＣＲＳはＭＢＳＦＮサブフレーム内に配置される。次に、マクロセル基地局１００Ａは、ＭＢＳＦＮサブフレーム以外のサブフレームをビームフォームせずに送信する（ステップＳ２１２）。また、スモールセル基地局１００Ｂは、ＭＢＳＦＮサブフレームをビームフォームして送信する（ステップＳ２１４）。
【０１３３】  端末装置２００Ａは、マクロセル（即ち、無指向性エリア）のカバレッジ外であってスモールセル（即ち、指向性エリア）のカバレッジ内に位置するものとする。その場合、端末装置２００Ａは、ＭＢＳＦＮサブフレームに関する受信処理を行う（ステップＳ２１６）。詳しくは、端末装置２００Ａは、ビーム上で同期信号を検出し、ＭＩＢ受信してセル選択を行い、ＣＲＳ同期、ＳＩＢ受信、ランダムアクセスを行って、スモールセルとデータ通信を開始する
【０１３４】  一方、端末装置２００Ｂは、マクロセルのカバレッジ内に位置するものとする。その場合、端末装置２００Ｂは、ＭＢＳＦＮサブフレーム以外のサブフレームに関する受信処理を行う（ステップＳ２１８）。詳しくは、端末装置２００Ｂは、同期信号を検出し、ＭＩＢ受信してセル選択を行い、ＣＲＳ同期、ＳＩＢ受信、ランダムアクセスを行って、マクロセルとデータ通信を開始する。以上により、処理は終了する。
【０１３５】  なお、第２のシナリオでは、マクセル基地局が無指向性エリアを提供し、スモールセル基地局が指向性エリアを提供するものとして説明したが、本技術はかかる例に限定されない。例えば、スモールセル基地局が無指向性エリアを提供し、マクロセル基地局が指向性エリアを提供してもよい。この場合、上記説明のマクロセルをスモールセルに読み替え、スモールセルをマクロセルに読み替えればよい。
【０１３６】  （４）第３のシナリオ  第３のシナリオにおいては、第１の同期信号、第１のＣＲＳ及び第１のＰＢＣＨを送信する基地局１００はスモールセル基地局である。そして、第１の同期信号、第１のＣＲＳ及び第１のＰＢＣＨを送信する基地局１００と、第２の同期信号、第２のＣＲＳ及び第２のＰＢＣＨを送信する基地局１００とは同一である。即ち、ひとつのスモールセル基地局１００が、第１の同期信号、第１のＣＲＳ及び第１のＰＢＣＨ、並びに第２の同期信号、第２のＣＲＳ及び第２のＰＢＣＨを送信する。
【０１３７】  以下、図１９を参照して、第３のシナリオにおいて送信される第１の同期信号、第１のＣＲＳ及び第１のＰＢＣＨ、並びに第２の同期信号、第２のＣＲＳ及び第２のＰＢＣＨについて説明する。
【０１３８】  図１９は、第３のシナリオにおいて本実施形態に係るスモールセル基地局１００が送信するダウンリンク信号のフレーム構成の一例を示す図である。図１９に示したフレーム構成は、ＦＤＤの場合のフレーム構成である。図１９に示すように、サブフレーム＃０及び＃５において同期信号が配置され、サブフレーム＃０の同期信号の直後にＰＢＣＨが配置される。また、ＭＢＳＦＮが配置されないサブフレームでは、ＣＲＳが配置される。これらのサブフレームは、ビームフォームされずに送信される。即ち、これらのサブフレームにおいて、第２の同期信号、第２のＣＲＳ及び第２のＰＢＣＨが送信される。
【０１３９】  他方、ＭＢＳＦＮが配置されるサブフレームは、セル固有重み行列が乗算されて、ビームフォームされて送信される。そして、当該サブフレームにおいて、第１の同期信号、第１のＣＲＳ及び第１のＰＢＣＨが送信される。これにより、図１０に示した第３のシナリオにおいて、スモールセルの指向性エリアのカバレッジ内であって、マクロセルの無指向性エリア及びスモールセルの無指向性エリアのカバレッジ外に位置する端末装置２００は、スモールセルにおいて送信された第１の同期信号、第１のＣＲＳ及び第１のＰＢＣＨを受信することが可能となる。よって、当該端末装置２００は、スモールセルをセル選択して通信することが可能となる。
【０１４０】  通信制御装置３００は、ＭＢＳＦＮサブフレームを設定して、その位置を示す情報を、スモールセル基地局１００に通知する。通信制御装置３００は、複数のＭＢＳＦＮサブフレームを設定して、複数のスモールセル基地局１００に、第１の同期信号、第１のＣＲＳ及び第１のＰＢＣＨを送信させてもよい。その際、通信制御装置３００は、スモールセル基地局１００ごとに使用すべきＭＢＳＦＮサブフレームを相違させて設定することで、スモールセル基地局１００同士の干渉を防止することが可能となる。
【０１４１】  なお、本シナリオでは、マクロセルとスモールセルとでキャリア周波数が異なる。よって、マクロセルにおいては、ＭＢＳＦＮサブフレームは設定されなくてもよい。
【０１４２】  第１の同期信号、第１のＣＲＳ及び第１のＰＢＣＨ、並びに第２の同期信号、第２のＣＲＳ及び第２のＰＢＣＨの送信元がスモールセル基地局になることを除けば、以下に説明するように本シナリオにおける技術的特徴は第１のシナリオと同様である。
【０１４３】  例えば、第３のシナリオにおいても、第１のシナリオと同様に、第１の同期信号と第２の同期信号とで、ＰＳＳ及びＳＳＳの配置が相違してもよい。より具体的には、第１の同期信号において、ＰＳＳの１シンボル前又は３シンボル前のシンボル以外のシンボルにＳＳＳが配置されてもよい。
【０１４４】  また、第１の同期信号において、ＰＳＳとＳＳＳとのシンボル間隔がサブフレーム番号に対応付けられていてもよい。
【０１４５】  また、ＦＤＤとＴＤＤとで、第１の同期信号におけるＰＳＳ及びＳＳＳの配置が相違してもよい。
【０１４６】  また、ビーム毎に第１の同期信号、第１のＣＲＳ及び第１のＰＢＣＨが送信されるサブフレームが相違してもよい。
【０１４７】  以上、第３のシナリオにおける技術的特徴を説明した。続いて、図２０を参照して、第３のシナリオにおける処理の流れを説明する。
【０１４８】  図２０は、本実施形態に係るシステム１において実行される通信処理の流れの一例を示すシーケンス図である。本シーケンスには、マクロセル基地局１００Ａ、スモールセル基地局Ｂ、端末装置２００Ａ及び２００Ｂが関与する。なお、マクロセル基地局１００Ａは、通信制御装置３００としての機能を有するものとする。
【０１４９】  図２０に示すように、まず、マクロセル基地局１００は、ＭＢＳＦＮサブフレームを設定する（ステップＳ３０２）。次に、マクロセル基地局１００Ａは、設定したＭＢＳＦＮサブフレームの位置を示す情報をスモールセル基地局１００Ｂに送信する（ステップＳ３０４）。次いで、スモールセル基地局１００Ｂは、第１の同期信号及び第２の同期信号を１つのラジオフレーム内に配置する（ステップＳ３０６）。ここで、第１の同期信号はＭＢＳＦＮサブフレーム内に配置される。次に、スモールセル基地局１００Ｂは、第１のＰＢＣＨ及び第２のＰＢＣＨを１つのラジオフレーム内に配置する（ステップＳ３０８）。ここで、第１のＰＢＣＨはＭＢＳＦＮサブフレーム内に配置される。次いで、スモールセル基地局１００Ｂは、第１のＣＲＳ及び第２のＣＲＳを１つのラジオフレーム内に配置する（ステップＳ３１０）。ここで、第１のＣＲＳはＭＢＳＦＮサブフレーム内に配置される。次に、スモールセル基地局１００Ｂは、ＭＢＳＦＮサブフレームをビームフォームして送信し、その他のサブフレームをビームフォームせずに送信する（ステップＳ３１２）。
【０１５０】  端末装置２００Ａは、スモールセルの指向性エリアのカバレッジ内であって、マクロセルの無指向性エリア及びスモールセルの無指向性エリアのカバレッジ外に位置するものとする。その場合、端末装置２００Ａは、ＭＢＳＦＮサブフレームに関する受信処理を行う（ステップＳ３１４）。詳しくは、端末装置２００Ａは、ビーム上で同期信号を検出し、ＭＩＢ受信してセル選択を行い、ＣＲＳ同期、ＳＩＢ受信、ランダムアクセスを行って、スモールセルとデータ通信を開始する。一方、端末装置２００Ｂは、スモールセルの無指向性エリアのカバレッジ内に位置するものとする。その場合、端末装置２００Ｂは、ＭＢＳＦＮサブフレーム以外のサブフレームに関する受信処理を行う（ステップＳ３１６）。詳しくは、端末装置２００Ｂは、同期信号を検出し、ＭＩＢ受信してセル選択を行い、ＣＲＳ同期、ＳＩＢ受信、ランダムアクセスを行って、スモールセルとデータ通信を開始する。以上により、処理は終了する。
【０１５１】  ＜３．３．ハンドオーバ＞  （１）概要  図２１は、本実施形態に係るハンドオーバに関する技術的特徴の概要を説明するための説明図である。図２１に示すように、マクロセル基地局１００Ａがマクロセル（無指向性エリア）１０１Ａを提供し、マクロセル１０１Ａ内のスモールセル基地局１００Ｃがスモールセル（指向性エリア）１０１Ｃを提供している。マクロセル１０１Ａの周波数はＦ１であり、スモールセル１０１Ｃの周波数はＦ２である。また、マクロセル基地局１００Ａに隣接するマクロセル基地局１００Ｂが、マクロセル（無指向性エリア）１０１Ｂを提供している。端末装置２００は、マクロセル１０１Ａのカバレッジ外であって、スモールセル１０１Ｃのカバレッジ内に位置する。そのため、端末装置２００は、スモールセルとの通信のためには、マクロセルとは別に、スモールセルへのフレーム同期及び周波数同期が要される。
【０１５２】  端末装置２００は、マクロセル基地局１００Ａから送信される第２の同期信号、第２のＰＢＣＨ及び第２のＣＲＳの受信強度が弱いものの、マクロセルをＰＣｅｌｌとしてセル選択しデータ通信を行っているものとする。しかし、端末装置２００は、スモールセル基地局１００Ｃから送信される第１の同期信号、第１のＰＢＣＨ及び第１のＣＲＳを受信することで、スモールセルのビームを検出してＳＣｅｌｌとしてキャリアアグリゲーションすることが可能である。これにより、端末装置２００は、安定した通信を行うことが可能である。
【０１５３】  ここで注意すべきは、従来のメジャメントレポートには、第１のＣＲＳの受信強度（例えば、ＲＳＲＰ（Reference  Signal  Received  Power）又はＲＳＲＱ（Reference  Signal  Received  Quality））が含まれず、第２のＣＲＳの受信強度のみが含まれることである。そのため、端末装置２００が、スモールセルのビームをＳＣｅｌｌとしてキャリアアグリゲーションすることで安定した通信を行うことが可能であるにも関わらず、ＰＣｅｌｌがマクロセル１０１Ａからマクロセル１０１Ｂにハンドオーバされるおそれがある。その後、同様にＰＣｅｌｌがマクロセル１０１Ｂからマクロセル１０１Ｃにハンドオーバされるおそれもある。このような頻繁なＰＣｅｌｌのハンドオーバを抑止するために、ビームを受信可能な場合はハンドオーバ条件が緩和されることが望ましい。
【０１５４】  そこで、本実施形態に係る端末装置２００は、第１のＣＲＳの受信強度をメジャメントレポートに含める。これにより、マクロセル基地局１００Ａは、第１のＣＲＳの受信強度を加味したハンドオーバの決定（Handover  Decision）が可能となり、上述した状況においてハンドオーバ条件を緩和してハンドオーバを抑止することが可能となる。上記説明した、第１のＣＲＳと第２のＣＲＳとが異なるサブフレームにおいて送信されることも、各々のＣＲＳの受信強度の測定が正確に実施可能になることに寄与し、ハンドオーバ条件の緩和に寄与する。このようにして、上記第４の課題が解消される。
【０１５５】  ・メジャメントコンフィギュレーション  基地局１００はＲＲＣ（Radio  Resource  Control）接続要求を出した端末装置２００に対し、ＲＲＣシグナリングでメジャメントコンフィギュレーション（Measurement  Configuration）を通知する。
【０１５６】  メジャメントコンフィギュレーションは、メジャメントオブジェクト（Measurement  Objects）、トリガリングメカニズムを示す情報、レポーティングコンフィギュレーション（Reporting  configurations）、メジャメントアイデンティティー（Measurement  Identities）などを含む。メジャメントオブジェクトは、測定対象を指定する情報である。トリガリングメカニズムを示す情報とは、報告タイミングがイベントドリブン（Event  driven（Ａ１〜Ａ６）か、タイマの終了（periodic）かを示す情報である。レポーティングコンフィギュレーションとは、ＲＳＲＰ又はＲＳＲＱの指定を示す情報である。メジャメントアイデンティティーとは、メジャメントオブジェクトとレポーティングコンフィギュレーションとを対応付ける情報である。
【０１５７】  とりわけ、本実施形態では、基地局１００は、メジャメントコンフィギュレーションにおいて、第１のＣＲＳを測定対象として指定し得る。これにより、端末装置２００は、第１のＣＲＳを測定し、報告することが可能となる。図２１に示した例においては、端末装置２００は、ＰＣｅｌｌで送信される第２のＣＲＳのＲＳＲＰ又はＲＳＲＱの他、ＳＣｅｌｌで送信される第１のＣＲＳのＲＳＲＰ又はＲＳＲＱを報告することが可能となる。第１のＣＲＳを測定対象に指定するメジャメントコンフィギュレーションは、ＦＤ−ＭＩＭＯに対応する端末装置２００にのみ送信されてもよい。
【０１５８】  （２）メジャメントレポート  端末装置２００は、第１のＣＲＳの受信強度を測定して、測定した第１のＣＲＳの受信強度を示す情報をメジャメントレポートに含めて報告する。そのために、端末装置２００は、セル固有ビームフォームドＣＲＳコンフィギュレーションから、第１のＣＲＳが送信されるサブフレームを知得する。報告のトリガ条件は多様に考えられる。例えば、第２のＣＲＳの受信強度よりも第１のＣＲＳの受信強度の方が大きくなったことがトリガ条件となり得る。端末装置２００は、トリガ条件が満たされた場合に、メジャメントレポートを基地局１００に報告する。基地局１００は、端末装置２００からのレポートにより、端末装置２００のＰＤＳＣＨにビームを割り当てることが適当であると判断することが可能となる。基地局１００は当該判断後、端末装置２００にチャネル状態報告を要求して、割り当てるべきビームのアンテナポート及び重み行列を特定しても良い。
【０１５９】  トリガイベントには、例えば従来から規定されている以下の６つのイベントが使用される。    イベントＡ１:  Serving  cell  becomes  better  than  a  threshold    イベントＡ２:  Serving  cell  becomes  worse  than  a  threshold    イベントＡ３:  Neighbour  cell  becomes  better  than  the  serving  cell  by  an  offset    イベントＡ４:  Neighbour  cell  becomes  better  than  a  threshold    イベントＡ５:  Serving  cell  becomes  worse  than  threshold1  while  neighboring  cells  becomes  better  than  threshold  2    イベントＡ６:  Neighbour  cell  becomes  better  than  a  secondary  cell  by  an  offset
【０１６０】  以下では、イベントＡ３が使用される場合を一例として説明する。イベントＡ３では、サービングセル測定値にオフセットを加えた値よりも、隣接セル測定値が大きくなったことがトリガとなる。イベントＡ３の開始条件（Entering  condition）は数式（１）で、終了条件（Leaving  condition）は数式（２）で、それぞれ定義される。
【０１６１】
【数１】
2017175500.tif 000003
【０１６２】
【数２】
2017175500.tif 000004
【０１６３】  ここで、Ｍｎは、隣接セルの測定値である。本実施形態の場合、Ｍｎは、隣接セルが送信するＣＲＳの受信強度（ＲＳＲＰ又はＲＳＲＱ）を示す。Ｏｆｎは、隣接セルの周波数によって規定されるオフセット値を示す。Ｏｃｎは、セルごとに決まる隣接セルのオフセット値を示す。Ｍｐは、サービングセルの測定値である。本実施形態の場合、Ｍｐは、サービングセルのＣＲＳの受信強度（ＲＳＲＰ又はＲＳＲＱ）を示す。Ｏｆｐは、サービングセルの周波数によって規定されるオフセット値を示す。Ｏｃｐは、セルごとに決まるサービングセルのオフセット値を示す。Ｈｙｓは、このイベントのヒステリシスを示す。Ｏｆｆは、このイベントのオフセットパラメータを示す。Ｍｎ及びＭｐの単位はＲＳＲＰの場合はｄＢｍであり、ＲＳＲＱの場合はｄＢである。Ｏｆｎ、Ｏｃｎ、Ｏｆｐ、Ｏｃｐ、Ｈｙｓ及びＯｆｆの単位は、ｄＢである。
【０１６４】  メジャメントレポートは、測定レポートＩＤ、サービングセルの測定値、隣接セルＩＤ、及び隣接セルの測定値を含む。従来は、メジャメントレポートに含まれる測定値は、第２のＣＲＳの受信強度のみであった。これに対し、本実施形態では、メジャメントコンフィギュレーションにおいて測定対象に第１のＣＲＳが指定された場合、メジャメントレポートは、第１のＣＲＳの受信強度を含む。そのため、基地局１００は、第１のＣＲＳの受信強度を加味してハンドオーバ決定を行い、ハンドオーバを抑止することが可能となる。
【０１６５】  以上、ハンドオーバに関する技術的特徴を説明した。続いて、図２２を参照して、ハンドオーバ手続きに係る処理の流れを説明する。
【０１６６】  （３）処理の流れ  図２２は、本実施形態に係るシステム１において実行されるハンドオーバ手続きに係る処理の流れの一例を示すシーケンス図である。本シーケンスには、端末装置２００、サービングセル基地局１００Ａ、ターゲットセル基地局１００Ｂ、及びサービングゲートウェイ４００が関与する。なお、図２１に示した例によれば、サービングセル基地局１００Ａは、マクロセル基地局１００Ａであり、ターゲット基地局１００Ｂは、マクロセル基地局１００Ｂである。また、サービングセル基地局１００Ａは、通信制御装置３００としての機能を有するものとする。
【０１６７】  図２２に示すように、サービングセル基地局１００Ａは、ＲＲＣ接続再設定を端末装置２００に送信する（ステップＳ４０２）。次いで、端末装置２００は、ＲＲＣ接続再設定完了をサービングセル基地局１００Ａに送信する（ステップＳ４０４）。次に、端末装置２００は、トリガ条件が満たされた場合に、第１のＣＲＳの受信強度を含むメジャメントレポートをサービングセル基地局１００Ａに送信する（ステップＳ４０６）。次いで、サービングセル基地局１００Ａは、第１のＣＲＳの受信強度を加味してハンドオーバの決定を行う（ステップＳ４０８）。ハンドオーバを実施すると決定した場合、サービングセル基地局１００Ａは、ハンドオーバリクエストをターゲットセル基地局１００Ｂに送信する（ステップＳ４１０）。次いで、ターゲットセル基地局１００Ｂは、ハンドオーバリクエスト応答、ハンドオーバコマンド、及びＲＲＣ接続再設定をサービングセル基地局１００Ａに送信する（ステップＳ４１２）。次に、サービングセル基地局１００Ａは、ＲＲＣ接続再設定を端末装置２００に送信する（ステップＳ４１４）。次いで、サービングセル基地局１００Ａは、ユーザプレーンのデータをターゲットセル基地局１００Ｂに転送する（ステップＳ４１６）。次に、ターゲットセル基地局１００Ｂは、パケットをバッファする（ステップＳ４１８）。次いで、端末装置２００は、ターゲットセル基地局１００Ｂとの間で同期処理を行い（ステップＳ４２０）、ランダムアクセス手続きを行い（ステップＳ４２２）、ＲＲＣ接続再設定完了をターゲットセル基地局１００Ｂに送信する（ステップＳ４２４）。これにより、端末装置２００は、ターゲットセル基地局１００Ｂを介してサービングゲートウェイ４００とユーザプレーンデータを送受信することが可能となる（ステップＳ４２６、Ｓ４２８）。以上により、ハンドオーバ手続きが完了する。
【０１６８】  ＜＜４．応用例＞＞  本開示に係る技術は、様々な製品へ応用可能である。例えば、通信制御装置３００は、タワーサーバ、ラックサーバ、又はブレードサーバなどのいずれかの種類のサーバとして実現されてもよい。また、通信制御装置３００の少なくとも一部の構成要素は、サーバに搭載されるモジュール（例えば、１つのダイで構成される集積回路モジュール、又はブレードサーバのスロットに挿入されるカード若しくはブレード）において実現されてもよい。
【０１６９】  また、例えば、基地局１００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局１００は、ＮｏｄｅＢ又はＢＴＳ（Base  Transceiver  Station）などの他の種類の基地局として実現されてもよい。基地局１００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局１００として動作してもよい。さらに、基地局１００の少なくとも一部の構成要素は、基地局装置又は基地局装置のためのモジュールにおいて実現されてもよい。
【０１７０】  また、例えば、端末装置２００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２００は、Ｍ２Ｍ（Machine  To  Machine）通信を行う端末（ＭＴＣ（Machine  Type  Communication）端末ともいう）として実現されてもよい。さらに、端末装置２００の少なくとも一部の構成要素は、これら端末に搭載されるモジュール（例えば、１つのダイで構成される集積回路モジュール）において実現されてもよい。
【０１７１】    ＜４．１．通信制御装置に関する応用例＞  図２３は、本開示に係る技術が適用され得るサーバ７００の概略的な構成の一例を示すブロック図である。サーバ７００は、プロセッサ７０１、メモリ７０２、ストレージ７０３、ネットワークインタフェース７０４及びバス７０６を備える。
【０１７２】  プロセッサ７０１は、例えばＣＰＵ（Central  Processing  Unit）又はＤＳＰ（Digital  Signal  Processor）であってよく、サーバ７００の各種機能を制御する。メモリ７０２は、ＲＡＭ（Random  Access  Memory）及びＲＯＭ（Read  Only  Memory）を含み、プロセッサ７０１により実行されるプログラム及びデータを記憶する。ストレージ７０３は、半導体メモリ又はハードディスクなどの記憶媒体を含み得る。
【０１７３】  ネットワークインタフェース７０４は、サーバ７００を有線通信ネットワーク７０５に接続するための有線通信インタフェースである。有線通信ネットワーク７０５は、ＥＰＣ（Evolved  Packet  Core）などのコアネットワークであってもよく、又はインターネットなどのＰＤＮ（Packet  Data  Network）であってもよい。
【０１７４】  バス７０６は、プロセッサ７０１、メモリ７０２、ストレージ７０３及びネットワークインタフェース７０４を互いに接続する。バス７０６は、速度の異なる２つ以上のバス（例えば、高速バス及び低速バス）を含んでもよい。
【０１７５】  図２３に示したサーバ７００において、図１４を参照して説明した通信制御装置３００に含まれる１つ以上の構成要素（制御部３３０）は、プロセッサ７０１において実装されてもよい。一例として、プロセッサを上記１つ以上の構成要素として機能させるためのプログラム（換言すると、プロセッサに上記１つ以上の構成要素の動作を実行させるためのプログラム）がサーバ７００にインストールされ、プロセッサ７０１が当該プログラムを実行してもよい。別の例として、サーバ７００は、プロセッサ７０１及びメモリ７０２を含むモジュールを搭載し、当該モジュールにおいて上記１つ以上の構成要素が実装されてもよい。この場合に、上記モジュールは、プロセッサを上記１つ以上の構成要素として機能させるためのプログラムをメモリ７０２に記憶し、当該プログラムをプロセッサ７０１により実行してもよい。以上のように、上記１つ以上の構成要素を備える装置としてサーバ７００又は上記モジュールが提供されてもよく、プロセッサを上記１つ以上の構成要素として機能させるための上記プログラムが提供されてもよい。また、上記プログラムを記録した読み取り可能な記録媒体が提供されてもよい。
【０１７６】  また、図２３に示したサーバ７００において、例えば、図１４を参照して説明したネットワーク通信部３１０は、ネットワークインタフェース７０４において実装されてもよい。また、記憶部３２０は、メモリ７０２及び／又はストレージ７０３において実装されてもよい。
【０１７７】    ＜４．２．基地局に関する応用例＞  （第１の応用例）  図２４は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０１７８】  アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図２４に示したように複数のアンテナ８１０を有し、複数のアンテナ８１０は、例えばｅＮＢ８００が使用する複数の周波数帯域にそれぞれ対応してもよい。なお、図２４にはｅＮＢ８００が複数のアンテナ８１０を有する例を示したが、ｅＮＢ８００は単一のアンテナ８１０を有してもよい。
【０１７９】  基地局装置８２０は、コントローラ８２１、メモリ８２２、ネットワークインタフェース８２３及び無線通信インタフェース８２５を備える。
【０１８０】  コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０１８１】  ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０１８２】  無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０１８３】  無線通信インタフェース８２５は、図２４に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図２４に示したように複数のＲＦ回路８２７を含み、複数のＲＦ回路８２７は、例えば複数のアンテナ素子にそれぞれ対応してもよい。なお、図２４には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０１８４】  図２４に示したｅＮＢ８００において、図１２を参照して説明した基地局１００に含まれる１つ以上の構成要素（制御部１５０）は、無線通信インタフェース８２５において実装されてもよい。あるいは、これらの構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又はコントローラ８２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８００にインストールされ、無線通信インタフェース８２５（例えば、ＢＢプロセッサ８２６）及び／又はコントローラ８２１が当該プログラムを実行してもよい。以上のように、上記１つ以上の構成要素を備える装置としてｅＮＢ８００、基地局装置８２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１８５】  また、図２４に示したｅＮＢ８００において、図１２を参照して説明した無線通信部１２０は、無線通信インタフェース８２５（例えば、ＲＦ回路８２７）において実装されてもよい。また、アンテナ部１１０は、アンテナ８１０において実装されてもよい。また、ネットワーク通信部１３０は、コントローラ８２１及び／又はネットワークインタフェース８２３において実装されてもよい。また、記憶部１４０は、メモリ８２２において実装されてもよい。
【０１８６】  （第２の応用例）  図２５は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０１８７】  アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図２５に示したように複数のアンテナ８４０を有し、複数のアンテナ８４０は、例えばｅＮＢ８３０が使用する複数の周波数帯域にそれぞれ対応してもよい。なお、図２５にはｅＮＢ８３０が複数のアンテナ８４０を有する例を示したが、ｅＮＢ８３０は単一のアンテナ８４０を有してもよい。
【０１８８】  基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図２４を参照して説明したコントローラ８２１、メモリ８２２及びネットワークインタフェース８２３と同様のものである。
【０１８９】  無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図２４を参照して説明したＢＢプロセッサ８２６と同様のものである。無線通信インタフェース８５５は、図２５に示したように複数のＢＢプロセッサ８５６を含み、複数のＢＢプロセッサ８５６は、例えばｅＮＢ８３０が使用する複数の周波数帯域にそれぞれ対応してもよい。なお、図２５には無線通信インタフェース８５５が複数のＢＢプロセッサ８５６を含む例を示したが、無線通信インタフェース８５５は単一のＢＢプロセッサ８５６を含んでもよい。
【０１９０】  接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０１９１】  また、ＲＲＨ８６０は、接続インタフェース８６１及び無線通信インタフェース８６３を備える。
【０１９２】  接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０１９３】  無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図２５に示したように複数のＲＦ回路８６４を含み、複数のＲＦ回路８６４は、例えば複数のアンテナ素子にそれぞれ対応してもよい。なお、図２５には無線通信インタフェース８６３が複数のＲＦ回路８６４を含む例を示したが、無線通信インタフェース８６３は単一のＲＦ回路８６４を含んでもよい。
【０１９４】  図２５に示したｅＮＢ８３０において、図１２を参照して説明した基地局１００に含まれる１つ以上の構成要素（制御部１５０）は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又はコントローラ８５１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８３０にインストールされ、無線通信インタフェース８５５（例えば、ＢＢプロセッサ８５６）及び／又はコントローラ８５１が当該プログラムを実行してもよい。以上のように、上記１つ以上の構成要素を備える装置としてｅＮＢ８３０、基地局装置８５０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１９５】  また、図２５に示したｅＮＢ８３０において、例えば、図１２を参照して説明した無線通信部１２０は、無線通信インタフェース８６３（例えば、ＲＦ回路８６４）において実装されてもよい。また、アンテナ部１１０は、アンテナ８４０において実装されてもよい。また、ネットワーク通信部１３０は、コントローラ８５１及び／又はネットワークインタフェース８５３において実装されてもよい。また、記憶部１４０は、メモリ８５２において実装されてもよい。
【０１９６】    ＜４．３．端末装置に関する応用例＞  （第１の応用例）  図２６は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０１９７】  プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０１９８】  カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０１９９】  無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図２６に示したように複数のＢＢプロセッサ９１３及び複数のＲＦ回路９１４を含んでもよい。なお、図２６には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０２００】  さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０２０１】  アンテナスイッチ９１５の各々は、無線通信インタフェース９１２に含まれる複数の回路（例えば、異なる無線通信方式のための回路）の間でアンテナ９１６の接続先を切り替える。
【０２０２】  アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図２６に示したように複数のアンテナ９１６を有してもよい。なお、図２６にはスマートフォン９００が複数のアンテナ９１６を有する例を示したが、スマートフォン９００は単一のアンテナ９１６を有してもよい。
【０２０３】  さらに、スマートフォン９００は、無線通信方式ごとにアンテナ９１６を備えてもよい。その場合に、アンテナスイッチ９１５は、スマートフォン９００の構成から省略されてもよい。
【０２０４】  バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図２６に示したスマートフォン９００の各ブロックへ電力を供給する。補助コントローラ９１９は、例えば、スリープモードにおいて、スマートフォン９００の必要最低限の機能を動作させる。
【０２０５】  図２６に示したスマートフォン９００において、図１３を参照して説明した端末装置２００に含まれる１つ以上の構成要素（制御部２４０）は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、上記１つ以上の構成要素を備える装置としてスマートフォン９００又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２０６】  また、図２６に示したスマートフォン９００において、例えば、図１３を参照して説明した無線通信部２２０は、無線通信インタフェース９１２（例えば、ＲＦ回路９１４）において実装されてもよい。また、アンテナ部２１０は、アンテナ９１６において実装されてもよい。また、記憶部２３０は、メモリ９０２において実装されてもよい。
【０２０７】  （第２の応用例）  図２７は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０２０８】  プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０２０９】  ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０２１０】  コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０２１１】  無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図２７に示したように複数のＢＢプロセッサ９３４及び複数のＲＦ回路９３５を含んでもよい。なお、図２７には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０２１２】  さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０２１３】  アンテナスイッチ９３６の各々は、無線通信インタフェース９３３に含まれる複数の回路（例えば、異なる無線通信方式のための回路）の間でアンテナ９３７の接続先を切り替える。
【０２１４】  アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図２７に示したように複数のアンテナ９３７を有してもよい。なお、図２７にはカーナビゲーション装置９２０が複数のアンテナ９３７を有する例を示したが、カーナビゲーション装置９２０は単一のアンテナ９３７を有してもよい。
【０２１５】  さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０２１６】  バッテリー９３８は、図中に破線で部分的に示した給電ラインを介して、図２７に示したカーナビゲーション装置９２０の各ブロックへ電力を供給する。また、バッテリー９３８は、車両側から給電される電力を蓄積する。
【０２１７】  図２７に示したカーナビゲーション装置９２０において、図１３を参照して説明した端末装置２００に含まれる１つ以上の構成要素（制御部２４０）は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、上記１つ以上の構成要素を備える装置としてカーナビゲーション装置９２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２１８】  また、図２７に示したカーナビゲーション装置９２０において、例えば、図１３を参照して説明した無線通信部２２０は、無線通信インタフェース９３３（例えば、ＲＦ回路９３５）において実装されてもよい。また、アンテナ部２１０は、アンテナ９３７において実装されてもよい。また、記憶部２３０は、メモリ９２２において実装されてもよい。
【０２１９】  また、本開示に係る技術は、上述したカーナビゲーション装置９２０の１つ以上のブロックと、車載ネットワーク９４１と、車両側モジュール９４２とを含む車載システム（又は車両）９４０として実現されてもよい。即ち、制御部２４０を備える装置として車載システム（又は車両）９４０が提供されてもよい。車両側モジュール９４２は、車速、エンジン回転数又は故障情報などの車両側データを生成し、生成したデータを車載ネットワーク９４１へ出力する。
【０２２０】  ＜＜５．まとめ＞＞  以上、図１〜図２７を参照して、本開示の一実施形態について詳細に説明した。上記説明したように、本実施形態に係る基地局１００は、単体で又は複数の基地局１００との協働により、１つのラジオフレーム内で、ビームフォームされた第１の同期信号及びビームフォームされない第２の同期信号を含む２種類の同期信号を送信する。これにより、端末装置２００は、無指向性エリアのカバレッジ外であっても、指向性エリアにおいて送信されるビームを受信することが可能となる。また、毎ラジオフレームに第１の同期信号が配置されるので、移動速度の速い端末装置２００も、ＦＤ−ＭＩＭＯの鋭いビームを受信することが可能となる。
【０２２１】  また、本実施形態に係る基地局１００は、単体で又は複数の基地局１００との協働により、ビームフォームされた第１のＣＲＳ及びビームフォームされない第２のＣＲＳを含む２種類のＣＲＳを送信する。これにより、端末装置２００は、無指向性エリアのカバレッジ外であっても、指向性エリアにおいて送信されるビームを受信することが可能となる。また、毎ラジオフレームに第１のＣＲＳが配置されるので、移動速度の速い端末装置２００も、ＦＤ−ＭＩＭＯの鋭いビームを受信することが可能となる。
【０２２２】  以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０２２３】  また、本明細書においてフローチャート及びシーケンス図を用いて説明した処理は、必ずしも図示された順序で実行されなくてもよい。いくつかの処理ステップは、並列的に実行されてもよい。また、追加的な処理ステップが採用されてもよく、一部の処理ステップが省略されてもよい。
【０２２４】  また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０２２５】  なお、以下のような構成も本開示の技術的範囲に属する。（１）  １つのラジオフレーム内で、ビームフォームされた第１の同期信号及びビームフォームされない第２の同期信号を含む２種類の同期信号を送信するよう、ひとつ以上の基地局を制御する制御部、を備える通信制御装置。（２）  前記制御部は、前記第１の同期信号と前記第２の同期信号とを異なるサブフレームにおいて送信させる、前記（１）に記載の通信制御装置。（３）  前記制御部は、前記第１の同期信号を送信する前記基地局に、前記第２の同期信号を送信する前記基地局のＭＢＳＦＮサブフレームにおいて、前記第１の同期信号を送信させる、前記（２）に記載の通信制御装置。（４）  前記制御部は、通信方式が周波数分割複信である場合、サブフレーム番号が０又は５以外であるサブフレームで前記第１の同期信号を送信させる、前記（２）又は（３）に記載の通信制御装置。（５）  前記制御部は、通信方式が時間分割複信方式である場合、サブフレーム番号が０、１、５又は６以外であるサブフレームで前記第１の同期信号を送信させる、前記（２）〜（４）のいずれか一項に記載の通信制御装置。（６）  前記制御部は、ビーム毎に前記第１の同期信号が送信されるサブフレームを相違させる、前記（２）〜（５）のいずれか一項に記載の通信制御装置。（７）  前記制御部は、第１の同期信号と第２の同期信号とで、ＰＳＳ（Primary  Synchronization  Signals）及びＳＳＳ（secondary  Synchronization  Signals）の配置を相違させる、前記（１）〜（６）のいずれか一項に記載の通信制御装置。（８）  前記制御部は、前記第１の同期信号において、ＰＳＳの１シンボル前又は３シンボル前のシンボル以外のシンボルにＳＳＳを配置させる、前記（７）に記載の通信制御装置。（９）  前記制御部は、ＦＤＤとＴＤＤとで、第１の同期信号におけるＰＳＳ及びＳＳＳの配置を相違させる、前記（７）又は（８）に記載の通信制御装置。（１０）  前記制御部は、前記第１の同期信号を送信する前記基地局に、前記１つのラジオフレーム内でビームフォームされた物理報知チャネルを送信させる、前記（１）〜（９）のいずれか一項に記載の通信制御装置。（１１）  前記第１の同期信号を送信する前記基地局はマクロセル基地局である、前記（１）〜（１０）のいずれか一項に記載の通信制御装置。（１２）  前記第１の同期信号を送信する前記基地局はマクロセル内のスモールセル基地局である、前記（１）〜（１０）のいずれか一項に記載の通信制御装置。（１３）  前記第１の同期信号を送信する前記基地局と前記第２の同期信号を送信する前記基地局とは同一である、前記（１）〜（１２）のいずれか一項に記載の通信制御装置。（１４）  前記第１の同期信号を送信する前記基地局と前記第２の同期信号を送信する前記基地局とは異なる、前記（１）〜（１２）のいずれか一項に記載の通信制御装置。（１５）  １つのラジオフレーム内で、ビームフォームされた第１のセル固有基準信号及びビームフォームされない第２のセル固有基準信号を含む２種類のセル固有基準信号を送信するよう、ひとつ以上の基地局を制御する制御部、を備える通信制御装置。（１６）  前記制御部は、前記第１のセル固有基準信号を送信する前記基地局に、前記第１のセル固有基準信号を送信するサブフレーム番号をシステム情報で報知させる、前記（１５）に記載の通信制御装置。（１７）  前記制御部は、前記基地局に、メジャメントコンフィギュレーションにおいて、前記第１のセル固有基準信号を測定対象として指定させる、前記（１５）又は（１６）に記載の通信制御装置。（１８）  前記制御部は、前記第１のセル固有基準信号と前記第２のセル固有基準信号とを異なるサブフレームにおいて送信させる、前記（１５）〜（１７）のいずれか一項に記載の通信制御装置。（１９）  前記制御部は、前記第１のセル固有基準信号を送信する前記基地局に、前記第２のセル固有基準信号を送信する前記基地局のＭＢＳＦＮサブフレームにおいて、前記第１のセル固有基準信号を送信させる、前記（１８）に記載の通信制御装置。（２０）  前記第１のセル固有基準信号を送信する前記基地局はマクロセル基地局である、前記（１５）〜（１９）のいずれか一項に記載の通信制御装置。（２１）  前記第１のセル固有基準信号を送信する前記基地局はマクロセル内のスモールセル基地局である、前記（１５）〜（１９）のいずれか一項に記載の通信制御装置。（２２）  前記第１のセル固有基準信号を送信する前記基地局と前記第２のセル固有基準信号を送信する前記基地局とは同一である、前記（１５）〜（２１）のいずれか一項に記載の通信制御装置。（２３）  前記第１のセル固有基準信号を送信する前記基地局と前記第２のセル固有基準信号を送信する前記基地局とは異なる、前記（１５）〜（２１）のいずれか一項に記載の通信制御装置。（２４）  １つのラジオフレーム内で送信された、ビームフォームされた第１のセル固有基準信号及びビームフォームされない第２のセル固有基準信号を含む２種類のセル固有基準信号の少なくともいずれかの受信処理を行う制御部、を備える端末装置。（２５）  前記制御部は、前記第１のセル固有基準信号の受信強度を測定し、報告する、前記（２４）に記載の端末装置。（２６）  １つのラジオフレーム内で、ビームフォームされた第１の同期信号及びビームフォームされない第２の同期信号を含む２種類の同期信号を送信するよう、ひとつ以上の基地局をプロセッサにより制御すること、を含む方法。（２７）  １つのラジオフレーム内で、ビームフォームされた第１のセル固有基準信号及びビームフォームされない第２のセル固有基準信号を含む２種類のセル固有基準信号を送信するよう、ひとつ以上の基地局をプロセッサにより制御すること、を含む方法。（２８）  １つのラジオフレーム内で送信された、ビームフォームされた第１のセル固有基準信号及びビームフォームされない第２のセル固有基準信号を含む２種類のセル固有基準信号の少なくともいずれかの受信処理をプロセッサにより行うこと、を含む方法。（２９）  コンピュータを、  １つのラジオフレーム内で、ビームフォームされた第１の同期信号及びビームフォームされない第２の同期信号を含む２種類の同期信号を送信するよう、ひとつ以上の基地局を制御する制御部、として機能させるためのプログラム。（３０）  コンピュータを、  １つのラジオフレーム内で、ビームフォームされた第１のセル固有基準信号及びビームフォームされない第２のセル固有基準信号���含む２種類のセル固有基準信号を送信するよう、ひとつ以上の基地局を制御する制御部、として機能させるためのプログラム。（３１）  コンピュータを、  １つのラジオフレーム内で送信された、ビームフォームされた第１のセル固有基準信号及びビームフォームされない第２のセル固有基準信号を含む２種類のセル固有基準信号の少なくともいずれかの受信処理を行う制御部、として機能させるためのプログラム。
【符号の説明】
【０２２６】  １    システム  １００  基地局  １１０  アンテナ部  １２０  無線通信部  １３０  ネットワーク通信部  １４０  記憶部  １５０  制御部  ２００  端末装置  ２１０  アンテナ部  ２２０  無線通信部  ２３０  記憶部  ２４０  制御部  ３００  通信制御装置  ３１０  ネットワーク通信部  ３２０  記憶部  ３３０  制御部
【図１】
2017175500.tif 000005
【図２】
2017175500.tif 000006
【図３】
2017175500.tif 000007
【図４】
2017175500.tif 000008
【図５】
2017175500.tif 000009
【図６】
2017175500.tif 000010
【図７】
2017175500.tif 000011
【図８】
2017175500.tif 000012
【図９】
2017175500.tif 000013
【図１０】
2017175500.tif 000014
【図１１】
2017175500.tif 000015
【図１２】
2017175500.tif 000016
【図１３】
2017175500.tif 000017
【図１４】
2017175500.tif 000018
【図１５】
2017175500.tif 000019
【図１６】
2017175500.tif 000020
【図１７】
2017175500.tif 000021
【図１８】
2017175500.tif 000022
【図１９】
2017175500.tif 000023
【図２０】
2017175500.tif 000024
【図２１】
2017175500.tif 000025
【図２２】
2017175500.tif 000026
【図２３】
2017175500.tif 000027
【図２４】
2017175500.tif 000028
【図２５】
2017175500.tif 000029
【図２６】
2017175500.tif 000030
【図２７】
2017175500.tif 000031
【国際調査報告】
2017175500.tif 000032
2017175500.tif 000033
2017175500.tif 000034
2017175500.tif 000035